(57)【特許請求の範囲】
【請求項１】
所定のトラック単位で１以上の音声情報を格納する音声情報エリアと、前記音声情報のトラックに関する管理情報を格納する管理情報エリアとを有することができるように構成された情報記憶媒体において、
前記管理情報エリアは、前記音声情報の再生順序を管理するプログラムチェーン情報と、１以上のアイテムテキストを含むテキストデータマネージャを含み、
前記プログラムチェーン情報は再生単位としてのセルに関するセル情報を含み、このセル情報が第１および第２のエントリポイント情報を含み、前記第１のエントリポイント情報が前記アイテムテキストを指し示すポインタ情報を含み、
前記第２のエントリポイント情報が前記音声情報の内の少なくとも１つの代表音声の再生時間範囲を指定する代表音声情報を含み、
前記プログラムチェーン情報はプログラム情報を含み、このプログラム情報は代表画像情報を含み、この代表画像情報が、前記トラックの代表画像が存在するスチルビデオオブジェクトのエントリ番号情報を含むように構成された情報記憶媒体。
【請求項２】
所定のトラック単位で１以上の音声情報を格納する音声情報エリアと前記音声情報のトラックに関する管理情報を格納する管理情報エリアとを有することができるように構成された情報記憶媒体であって、前記管理情報エリアは前記音声情報の再生順序を管理するプログラムチェーン情報と１以上のアイテムテキストを含むテキストデータマネージャを含み、前記プログラムチェーン情報は再生単位としてのセルに関するセル情報を含み、このセル情報が第１および第２のエントリポイント情報を含み、前記第１のエントリポイント情報が前記アイテムテキストを指し示すポインタ情報を含み、前記第２のエントリポイント情報が前記音声情報の内の少なくとも１つの代表音声の再生時間範囲を指定する代表音声情報を含み、前記プログラムチェーン情報はプログラム情報を含み、このプログラム情報は代表画像情報を含み、この代表画像情報が、前記トラックの代表画像が存在するスチルビデオオブジェクトのエントリ番号情報を含むように構成された記憶媒体を用いる方法において、
前記情報エリアに前記音声情報を記録し、
前記管理情報エリアに前記管理情報を記録するように構成された記録方法。
【請求項３】
所定のトラック単位で１以上の音声情報を格納する音声情報エリアと前記音声情報のトラックに関する管理情報を格納する管理情報エリアとを有することができるように構成された情報記憶媒体であって、前記管理情報エリアは前記音声情報の再生順序を管理するプログラムチェーン情報と１以上のアイテムテキストを含むテキストデータマネージャを含み、前記プログラムチェーン情報は再生単位としてのセルに関するセル情報を含み、このセル情報が第１および第２のエントリポイント情報を含み、前記第１のエントリポイント情報が前記アイテムテキストを指し示すポインタ情報を含み、前記第２のエントリポイント情報が前記音声情報の内の少なくとも１つの代表音声の再生時間範囲を指定する代表音声情報を含み、前記プログラムチェーン情報はプログラム情報を含み、このプログラム情報は代表画像情報を含み、この代表画像情報が、前記トラックの代表画像が存在するスチルビデオオブジェクトのエントリ番号情報を含むように構成された記憶媒体を用いる方法において、
前記管理情報エリアから前記管理情報を読み取り、
前記情報エリアから前記音声情報を読み取るように構成された再生方法。
【請求項４】
所定のトラック単位で１以上の音声情報を格納する音声情報エリアと前記音声情報のトラックに関する管理情報を格納する管理情報エリアとを有することができるように構成された情報記憶媒体であって、前記管理情報エリアは前記音声情報の再生順序を管理するプログラムチェーン情報と１以上のアイテムテキストを含むテキストデータマネージャを含み、前記プログラムチェーン情報は再生単位としてのセルに関するセル情報を含み、このセル情報が第１および第２のエントリポイント情報を含み、前記第１のエントリポイント情報が前記アイテムテキストを指し示すポインタ情報を含み、前記第２のエントリポイント情報が前記音声情報の内の少なくとも１つの代表音声の再生時間範囲を指定する代表音声情報を含み、前記プログラムチェーン情報はプログラム情報を含み、このプログラム情報は代表画像情報を含み、この代表画像情報が、前記トラックの代表画像が存在するスチルビデオオブジェクトのエントリ番号情報を含むように構成された記憶媒体を用いる装置において、
前記情報エリアに前記音声情報を記録する手段と、
前記管理情報エリアに前記管理情報を記録する手段と
を具備した記録装置。
【請求項５】
所定のトラック単位で１以上の音声情報を格納する音声情報エリアと前記音声情報のトラックに関する管理情報を格納する管理情報エリアとを有することができるように構成された情報記憶媒体であって、前記管理情報エリアは前記音声情報の再生順序を管理するプログラムチェーン情報と１以上のアイテムテキストを含むテキストデータマネージャを含み、前記プログラムチェーン情報は再生単位としてのセルに関するセル情報を含み、このセル情報が第１および第２のエントリポイント情報を含み、前記第１のエントリポイント情報が前記アイテムテキストを指し示すポインタ情報を含み、前記第２のエントリポイント情報が前記音声情報の内の少なくとも１つの代表音声の再生時間範囲を指定する代表音声情報を含み、前記プログラムチェーン情報はプログラム情報を含み、このプログラム情報は代表画像情報を含み、この代表画像情報が、前記トラックの代表画像が存在するスチルビデオオブジェクトのエントリ番号情報を含むように構成された記憶媒体を用いる装置において、
前記管理情報エリアから前記管理情報を読み取る手段と、
前記情報エリアから前記音声情報を読み取る手段と
を具備した再生装置。
【発明の詳細な説明】
【０００１】
【発明の属する技術分野】
この発明は、オーディオ情報の記録方法、再生方法、編集方法、さらにはその情報記憶媒体に関する。
【０００２】
そして特に特徴的なところは、音声関連情報に関する録音（ないし記録）・再生が可能な情報記憶媒体に対する音声関連情報の記録方法、再生方法、編集方法および情報記憶媒体上に記録するデータ構造に関する。
【０００３】
また、この発明は情報記憶媒体に記録された情報を順次再生するための再生手順情報とユーザが指定可能な別の再生手順情報の両方が管理情報として記録された情報記憶媒体に対して上記の管理情報内容を表示するための表示方法やその表示結果を用いた編集方法に関する技術分野にも関係している。
【０００４】
【従来の技術】
ＤＶＤフォーラムから、１９９９年９月に、情報記憶媒体に対して映像情報の録画・再生可能な規格として「Part3ＶＩＤＥＯ  ＲＥＣＯＲＤＩＮＧ  DVD  Specifications  for  Rewritable/Re-recordable  Discs」が発行された。
【０００５】
映像情報では“録画単位”あるいは“番組単位に対応するタイトル”と言う大きな映像内容を分割する単位が存在し、上記規格において“録画単位”に対してはビデオオブジェクト（Video Object）と言う管理単位が、また“番組単位やタイトル”に対してはプログラム（Program）と言う管理単位が存在している。
【０００６】
上記のビデオレコーディング（Video Recording）規格との間の高い互換性を目指した音声情報の録音・再生可能な規格が、オーディオレコーディング（Audio Recording）規格として、現在ＤＶＤフォーラムで検討されている。
【０００７】
【発明が解決しようとする課題】
ところで音声情報においては“曲”に対応した“トラック”と言う非常に小さな単位で録音・再生が行われている。この“トラック”に対応した管理単位を音声情報に対する管理情報内に持たせると、上述したビデオレコーディング規格の階層構造に対して新たに“トラック”に対応した１階層を設ける必要が生じ、ビデオレコーディング規格との間の高い互換性が損なわれると言う問題が生じる。
【０００８】
この発明の目的は、上記事情に鑑みなされたもので、ビデオレコーディング規格との間の高い互換性を確保しつつ、オーディオレコーディング特有のトラック毎の管理を容易に行えるデータ構造と、それに関連して情報記憶媒体上に記録する音声関連情報の最適な記録方法、再生方法、編集方法を提供することである。
【０００９】
【課題を解決するための手段】
この発明の一実施の形態に係る情報媒体は、所定のトラック単位で１以上の音声情報を格納する音声情報エリアと、前記音声情報のトラックに関する管理情報を格納する管理情報エリアとを有することができるように構成される。この情報記憶媒体において、前記管理情報エリアは、前記音声情報の再生順序を管理するプログラムチェーン情報と、１以上のアイテムテキストを含むテキストデータマネージャを含む。ここで、前記プログラムチェーン情報は再生単位としてのセルに関するセル情報を含み、このセル情報が第１および第２のエントリポイント情報を含み、前記第１のエントリポイント情報が前記アイテムテキストを指し示すポインタ情報を含み、前記第２のエントリポイント情報が前記音声情報の内の少なくとも１つの代表音声の再生時間範囲を指定する代表音声情報を含むように構成される。
さらに、前記プログラムチェーン情報はプログラム情報を含み、このプログラム情報は代表画像情報を含み、この代表画像情報が、前記トラックの代表画像が存在するスチルビデオオブジェクトのエントリ番号情報を含んでいる。
【００１０】
なお、この発明の実施の形態では、
１.音声情報に関する管理情報内の再生手順を示すプログラムチェーン情報（ＰＧＣＩ）に、オーディオトラックの切れ目情報を持たせることができるようにしている。つまり、ＰＧＣＩ内にオーディオトラックの切れ目情報を記録できるようにしている。
【００１１】
２.オリジナルトラックに関する管理情報であるオリジナルプログラムチェーン情報（ＯＲＧ＿ＰＧＣＩ）内のプログラムを、オリジナルトラックに対応させることもできるようにしている。
【００１２】
３.プレイリストに関する管理情報であるユーザ定義ＰＧＣ情報テーブル（ＵＤ＿ＰＧＣＩＴ）内のセル情報に対して、オーディオトラックの切れ目情報を示すトラックヘッドエントリポイント（Ｃ＿ＥＰＩ）の情報を記録し、各種オーディオトラック固有の情報をこのトラックヘッドエントリポイント内に持たせることもできるようにしている。
【００１３】
４.オーディオトラック再生時に同時に表示する静止画像をユーザが指定すると、オーディオトラックの再生時間と設定した静止画像の枚数から音声情報再生時の各静止画像の表示タイミングを自動算出し、その表示タイミング情報を管理情報内に自動的に記録できるようにしている。
【００１４】
５.オリジナルリストとプレイリストを同時に画面表示することもできるようにしている（これはオーディオレコーディングに限らずビデオレコーディングにも適応可能）。
【００１５】
６.オリジナルリスト内のオリジナルトラックの一部を集めてプレイリスト上に新たなトラックを作ることができるようにしている。また、オリジナルトラック内部を部分消去することもできるようにしている。
【００１６】
このような場合、オリジナルトラックのディスプレイモードの情報内容に応じて、以下の（Ａ）、（Ｂ）を選択することができるようにしている。そして、再生時には、
（Ａ）オリジナルトラック再生時に表示する全静止画像をプレイリスト上の新たなトラック再生時に表示する静止画像に利用する、あるいは部分消去前に表示していた全静止画像を部分消去後にも全て表示する；
（Ｂ）オリジナルトラック再生時に表示する静止画像のうち、特定範囲内にある静止画像のみをプレイリスト上の新たなトラック再生時に表示する静止画像に利用する、あるいは部分消去範囲内に表示していた静止画像は部分消去後には表示しない。
【００１７】
のどちらにするかを判別できるようにし、プレイリスト上の新たなトラックに対する静止画像として設定できるようにしている。
【００１８】
７.ムービーオブジェクトの任意画面を静止画像として抽出し、オーディオオブジェクトと同時表示可能な静止画像としてスチルピクチャＡＶファイル情報テーブル内に登録することもできるようにしている。
【００１９】
８．また、トラック単位に指定されそのトラック内容を示す代表画像の指定情報を前記管理情報内に持つとともに、上記の代表画像の指定情報をオーディオトラック再生時に表示する静止画像の指定情報とは別に設けることができるようにしている。
【００２０】
９．オーディオトラック毎の固有情報を記録する領域内に、そのオーディオトラックの内容を示す代表音声の表示範囲情報を設けることができるようにしている。
【００２１】
【発明の実施の形態】
以下、図面を参照してこの発明の実施の形態を説明する。
【００２２】
図１は、この発明の一実施の形態を示す。図１（ａ）（ｂ）に示すように、書き換え可能なディスク形状の情報記憶媒体１００には、リードインエリア１１０、ボリューム／ファイル構成情報１１１のエリア、データエリア１１２、リードアウトエリア１１３が確保されている。また、図１（ｃ）に示すように、情報記憶媒体１００内のユーザが情報を記録できる領域であるデータエリア１１２内には一般コンピュータ情報記録領域１２０と、オーディオ・ビデオ関連情報記録領域１２１が混在して存在できるフォーマットになっている。
【００２３】
オーディオ・ビデオのコンテンツ情報はオブジェクト（Object）と呼ばれ、図１（ｄ）に示すように、映像コンテンツ情報はVR_ムービーオブジェクト記録領域１３１内に記録され、音声コンテンツ情報はAR_オーディオオブジェクト記録領域１３３内に記録されている。
【００２４】
この発明の実施の形態においては、音声情報再生と同時に静止画像（スチルピクチャ）を表示できるばかりでなく、歌詞カードのように音声情報と同期して変化するリアルタイムテキスト情報（Real-Time Text）も同時に表示が可能になっている。
【００２５】
この発明の実施の形態において、上記静止画像はＡＲ＿スチルピクチャオブジェクト記録領域１３２内に記録され、上記リアルタイムテキスト情報、ＡＲ＿リアルタイムテキストオブジェクト（AR_RtText Object）記録領域１３４内に記録されている。
【００２６】
この発明の実施の形態では上記音声情報、静止画像情報（スチルピクチャ）、リアルタイムテキスト情報（Real-Time Text）を総称して“音声関連情報”と呼んでいる。これらのオブジェクト情報（コンテンツ情報）の内容、属性情報、表示のための制御情報などは図１（ｄ）に示す管理情報記録領域１３０内にまとめて記録されている。
【００２７】
図１（ｅ）に示すように、管理情報記録領域１３０には、リアルタイムオーディオ管理情報（ＲＴＲ＿ＡＭＧＩ；オーディオの一般情報であり、属性など）１４０、ムービーＡＶファイル情報テーブル（Ｍ＿ＡＶＦＩＴ；動画の記録位置などの情報）１４１、スチルピクチャＡＶファイル情報テーブル（Ｓ＿ＡＶＦＩＴ；静止画の記録位置などの情報）１４２、オーディオＡＶファイル情報テーブル（Ａ＿ＡＶＦＩＴ；オーディオの記録位置などの情報）１４３、オリジナルＰＧＣ情報（ＯＲＧ＿ＰＧＣＩ）１４４、ユーザ定義ＰＧＣ情報（ＵＤ＿ＰＧＣＩ）１４５、テキストデータマネージャー（ＴＸＴＤ＿ＭＧ）１４６、製造情報テーブル（ＭＮＦＩＴ）１４７が含まれる。
【００２８】
オリジナルＰＧＣは、情報記憶媒体１００内で唯一存在し、ユーザ定義ＰＧＣは複数個設定できる。それぞれのユーザ定義ＰＧＣに関する管理情報は第１ユーザ定義ＰＧＣ情報＃１／１５６〜第ｍユーザ定義ＰＧＣ情報＃ｍ／１５７内（図１（ｆ））に記録されている。またそれらの情報はユーザ定義ＰＧＣ情報テーブル１４５内で一元管理されている。
【００２９】
すなわち、ユーザ定義ＰＧＣ情報テーブル情報（ＵＤ＿ＰＧＣＩＴＩ）１５０には、ここのテーブルにどうのようなテーブルが記録されているかを示している。ＰＧＣ情報をサーチするための、ユーザ定義ＰＧＣ情報（ＵＤ＿ＰＧＣＩ）サーチポインタ１５１、１５２が記録されている。
【００３０】
先の各オブジェクト情報（コンテンツ情報）はオブジェクト内容毎に１個ずつの独立ファイル内に記録されている。
【００３１】
すなわち、図２に示すように全音声情報はＡＲ＿ＡＵＤＩＯ．ＡＲＯ２２１ファイルにまとめて記録されており、全静止画像情報（スチルピクチャ）はＡＲ＿ＳＴＩＬＬ．ＡＲＯ２１３ファイル、全リアルタイムテキスト情報（Real-Time Text）はＡＲ＿ＲＴ＿ＴＥＸＴ．ＡＲＯ２２２ファイル内にまとめて記録されている。
【００３２】
この発明の実施の形態では、ビデオレコーディング規格上で定義された映像情報ファイル内の映像の１場面を静止画像として抽出し、音声情報と同時に表示する。そのときに使用する映像情報ファイルＶＲ＿ＭＯＶＩＥ．ＶＲＯ２１２も同じＤＶＤ＿ＲＴＡＶディレクトリ２１０内に記録されている。これらのオブジェクトファイルを統合的に管理する管理情報記録領域１３０内の情報はＡＲ＿ＭＡＮＧＲ．ＩＦＯ２１１ファイルとそのバックアップファイルであるＡＲ＿ＭＡＮＧＲ．ＢＵＰ２１５に記録されている。
【００３３】
音声関連情報に関する録音（ないし記録）・再生が可能な情報記憶媒体に記録する管理情報のデータ構造の骨格部は図１（ｅ）に示すように互換性を重視してＤＶＤフォーラムで制定したビデオレコーディング規格と同じ構造をしている。
【００３４】
ＤＶＤフォーラムが１９９９年９月に制定した「Part 3 ＶＩＤＥＯ ＲＥＣＯＲＤＩＮＧ DVD Specifications for Rewritable/Re-recordable Discs」の規格と同様、音声関連情報の再生手順を示す情報は、ＰＧＣ情報１４４（オリジナルプログラムチェーン）、１４５（ユーザ定義プログラムチェーン）内に記録されている。
【００３５】
ここで、再生するための音声関連情報内で連続再生する最小基本単位をセルと呼び、そのセルのつながりを示す再生手順がＰＧＣ（プログラムチェーン）により構成される。
【００３６】
セルに関する管理情報は管理情報記録領域１３０内に記録されている第１セル情報＃１／１６４〜第６セル情報＃６／１６９内（図１（ｇ）、図８（ｄ））に全て記録されている。図１（ｉ）には、編集によりオーディオトラック１、２、３が存在することを示し、図１（ｈ）には、各オーディオトラックの先頭を指定するトラックヘッドエントリポイント（ＴＨＥＰまたはＣ＿ＥＰＩ）１７１、１７２、１７３が記録されていることを示している。これらのトラックヘッドエントリポイント（ＴＨＥＰ／Ｃ＿ＥＰＩ）１７１、１７２、１７３は、各トラックのオブジェクトを再生するためのセル情報を指定している。
【００３７】
次に音声情報再生時に同時に表示する静止画像情報（スチルピクチャObject）やトラック毎の固有情報を示すテキスト情報に関する管理情報のデータ構造に付いて図３〜図５を用いて説明する。
【００３８】
図１（ａ）〜（ｅ）の内容は、それぞれ、図３〜図５各々の（ａ）〜（ｅ）と同様でよい。
【００３９】
図２に示したＡＲ＿ＡＵＤＩＯ．ＡＲＯ２２１ファイル内の音声情報に関する管理情報は図３（ｅ）に示すようにオーディオAVファイル情報テーブル１４３内に記録されている。なお図３において図１と対応する部分には、同一符号を付している。
【００４０】
図３（ｅ）〜（ｉ）では、Ａ＿ＡＶＦＩＴ（オーディオＡＶファイル情報テーブル）１４３、つまりオーディオに関する管理情報を階層的に示している。図３（ｆ）に示すように、オーディオＡＶファイル情報テーブル１４３は、オーディオＡＶファイル情報テーブル情報（ＡＵＤ＿ＦＩＴＩ）１８０、オーディオオブジェクトストリーム情報（ＡＵＤ＿ＳＴＩ）１８１、１８２と、オーディオＡＶファイル情報（ＡＵＤＦＩ）１８４と、リアルタイムテキストオブジェクトストリーム情報１８６、リアルタイムテキストＡＶファイル情報１８９などからなる。図３（ｇ）に示すように、オーディオＡＶファイル情報１８４は、オーディオＡＶファイルゼネラル情報（ＡＵＤＦＩ＿ＧＩ）１９０、オーディオオブジェクトサーチポインタ（ＡＯＢＩ＿ＳＲＰ）１９１、１９２、オーディオオブジェクト情報（ＡＯＢＩ）１９６、１９７などからなる。
【００４１】
図３（ｈ）に示すように、オーディオオブジェクト情報は、オーディオオブジェクトゼネラル情報（ＡＯＢ＿ＧＩ／ＡＯＢＵ＿ＧＩ）２４０、オーディオオブジェクトユニットエントリ（ＡＯＢＵ＿ＥＮＴ）２４１〜２４８などからなる。そして、図３（ｉ）に示すように、オーディオオブジェクトユニットエントリは、オーディオオブジェクトデータサイズ（ＡＯＢＵ＿ＳＺ）２５１、オーディオオブジェクトユニットプレゼンテーションタイム（ＡＯＢＵ＿ＳＺに対応して例えば１秒を示す）２５２、リアルタイムテキスト位置（例えば差分アドレスにより示される）２５３などの情報からなる。
【００４２】
図２のＡＲ＿ＲＴ＿ＴＥＸＴ．ＡＲＯ２２２ファイル内に記録されているリアルタイムテキスト情報（Real-Time Text Object）（音声情報と同期して表示内容が変化する情報）に対する管理情報も、オーディオAVファイル情報テーブル１４３（図３（ｅ））内のリアルタイムテキストオブジェクトストリーム情報（Real-Time Text Object Stream Information）＃１／１８６（図３（ｆ））、リアルタイムテキストAVファイル情報１８９（図３（ｆ））に記録されている。
【００４３】
ディスク形状の情報記憶媒体１００上に音声情報を録音する場合には、複数トラックをまとめて録音する場合が多い。この場合、まとめて一度に録音する音声情報単位をオーディオオブジェクト（ＡＯＢ）と呼ぶ。
【００４４】
個々のＡＯＢ毎に、オーディオオブジェクト情報（図３（ｇ）のＡＯＢＩ＃１／１９６〜ＡＯＢＩ＃ｉ／１９７）の管理情報を設ける。音声情報に対して高速再生（Fast Front）、巻き戻し（Fast Reverse）やタイムサーチなどの特殊再生を可能にするため、音声情報をＡＯＢより更に小さなユニット（オーディオオブジェクトユニット）に分割し、各ユニット（オーディオオブジェクトユニット）毎のデータサイズ（図３（ｉ）のオーディオオブジェクトユニットデータサイズＡＯＢＵ＿ＳＺ２５１）と表示所要時間（オーディオオブジェクトユニットプレゼンテーションタイム２５２）の情報を図３（ｈ）に示すオーディオオブジェクトユニットエントリＡＯＢＵ＿ＥＮＴ＃１／２４１〜ＡＯＢＵ＿ＥＮＴ＃ｈ／２４８の記録場所内に記録している。
【００４５】
また、この発明の実施の形態では各ユニット（オーディオオブジェクトユニット）内の先頭位置の音声情報を再生するときに表示するリアルタイムテキスト情報（Real-Time Text Object）が記録されているＡＲ＿ＲＴ＿ＴＥＸＴ．ＡＲＯ２２２ファイル内の位置（相対アドレス）情報も、リアルタイムテキスト位置情報２５３（図３（ｉ））として、オーディオオブジェクトユニットエントリＡＯＢＵ＿ＥＮＴ＃１／２４１〜ＡＯＢＵ＿ＥＮＴ＃ｈ／２４８（図３（ｈ））内に記録されている。
【００４６】
なお、プログラムチェーン（ＰＧＣ）は、トラックセットに対応したトラックチェーンを示すとともに、プレイリストに対応した一部のトラックのチェーンを示すところの、概念的な単位である。
【００４７】
オリジナルＰＧＣ（ＯＲＧ＿ＰＧＣ）は、トラックのチェーンであるトラックセットを示し、「〜．ＡＲＯ」ファイル（図２参照）に格納されたストリームデータを含む。１枚のディスク１００は唯一のオリジナルＰＧＣを持つ。
【００４８】
ユーザ定義ＰＧＣ（ＵＤ＿ＰＧＣ）はトラックの一部のチェーンである。このＵＤ＿ＰＧＣはナビゲーションデータだけを含むもので、トラックの一部各々は、ＯＲＧ＿ＰＧＣに属するストリームデータを参照するようになっている。従って、任意のＵＤ＿ＰＧＣを作成しても削除しても、それはＯＲＧ＿ＰＧＣには影響しない。
【００４９】
オーディオオブジェクト（ＡＯＢ）は、１つのリアルタイム記録におけるオーディオストリームデータである。
【００５０】
このＡＯＢの基本単位は、１以上のオーディオフレームとパディングデータで構成されるオーディオオブジェクトユニット（ＡＯＢＵ）と呼ばれる。１つのオーディオフレームが２つのＡＯＢＵに含まれることはない。パディングデータは、ＡＯＢＵの中間に存在することはできないが、ＡＯＢＵの末尾に存在することはできる。
【００５１】
とはいえ、リニアＰＣＭの場合では、サンプルデータの単位をＡＯＢＵのデータパックの境界に合わせるために、パディングデータをＡＯＢＵの中間に入れることはできる。
【００５２】
別の言い方をすれば、ＡＯＢＵのデータパックがリニアＰＣＭのあるサンプルデータ単位から次のサンプルデータ単位に跨らないよう、このパックをパディングデータで埋めることができる。
【００５３】
ＡＯＢＵの再生期間は、オーディオエレメンタリストリームの符号化および標本化周波数に応じて、一定の値をとる。
【００５４】
たとえば、符号化がリニアＰＣＭであり標本化周波数が４８ｋＨｚ、９６ｋＨｚあるいは１９２ｋＨｚである場合は、ＡＯＢＵの再生期間は丁度１秒となる。すなわち、この場合、ＡＯＢＵは１秒に対応したサイズを持つ。
【００５５】
オーディオスチルビデオオブジェクト（ＡＳＶＯＢ）とは、オーディオオブジェクト（ＡＯＢ）の再生とともに再生されるオーディオスチルビデオのストリームデータをいう。
【００５６】
オーディオスチルビデオユニット（ＡＳＶＵ）とは、１以上のトラックが再生されている間に再生される１以上（９９まで）のＡＳＶＯＢの集合をいう。ＡＳＶＵは、トラックの再生を開始する前に装置のメモリ（バッファ）に事前に取り込んでおくことができる。
【００５７】
プログラム（ＰＧ）とは、ユーザの視点から見れば、オリジナルトラックに対応したデータ構造であるといえる。このＰＧは１以上のセルで構成される。
【００５８】
セルとは、トラックの一部を再生するためのデータ構造である。オリジナルＰＧＣ内のセルはオリジナルセルと呼ばれ、ユーザ定義ＰＧＣ内のセルはユーザ定義セルと呼ばれる。トラックセット内のトラックは１以上のオリジナルセルで構成される。プレイリスト内のトラックの一部は、１以上のユーザ定義セルで構成される。このセルは、ＡＯＢの一部またはその全体を参照するようになっている。
【００５９】
エントリポイント（ＥＰ）とは、セル内での再生の仕方を指定するデータをいう。ここには、４種類のエントリポイント（ユーザ定義トラック用ＥＰ；インデックス用ＥＰ；ディスプレイリスト用ＥＰ；代表音声用ＥＰ）がある。
【００６０】
プログラムチェーン情報（ＰＧＣＩ）は、ＰＧＣの全体的な再生を行うためのデータ構造を指す。このＰＧＣＩは、オリジナルＰＧＣおよびユーザ定義ＰＧＣの何れに対しても用いられる。ユーザ定義ＰＧＣは、ＰＧＣＩだけを持ち、このＰＧＣＩ中のセルがオリジナルＰＧＣ内のＡＯＢを参照するようになっている。ＰＧＣの全体的な再生方法は、ＰＧＣＩ内で定義されたセル再生手順として、記述される。
【００６１】
オーディオオブジェクト情報（ＡＯＢＩ）は、オーディオオブジェクト（ＡＯＢ）に関する情報を記述するためのデータ構造である。
【００６２】
オーディオスチルビデオユニット情報（ＡＳＶＵＩ）は、オーディオスチルビデオユニット（ＡＳＶＵ）に関する情報を記述するためのデータ構造である。
【００６３】
図４（ｆ）に示すように、スチルピクチャＡＶファイル情報テーブル１４２は、Ａ＿ＡＶＦＩＴ情報（ＡＳＶＦＩＴＩ）２６０と、１以上のスチルピクチャＶＯＢストリーム情報（ＡＳＶ＿ＳＴＩ）２６１〜２６２と、スチルピクチャＡＶファイル情報（Ｓ＿ＡＶＦＩ／ＡＳＶＦＩ）２６４とで、構成されている。
【００６４】
図４（ｇ）に示すように、スチルピクチャＡＶファイル情報２６４は、Ｓ＿ＡＶＦＩ一般情報（ＡＳＶＦＩ＿ＧＩ）２７０と、１以上のＳ＿ＶＯＧＩサーチポインタ（ＡＳＶＵＩ＿ＳＲＯ）２７１〜２７２と、１以上のスチルピクチャＶＯＢグループ情報（ＡＳＶＵＩ）２７３〜２７９とで、構成されている。
【００６５】
図４（ｈ）に示すように、スチルピクチャＶＯＢグループ情報２７３は、スチルピクチャＶＯＢグループ一般情報（ＡＳＶＵ＿ＧＩ）２８０と、１以上のスチルピクチャＶＯＢエントリ（ＡＳＶＯＢ＿ＥＮＴ）２８１〜２８９とで構成されている。
【００６６】
図４（ｉ）に示すように、スチルピクチャＶＯＢエントリ（ＡＳＶＯＢ＿ＥＮＴ）２８１は、スチルピクチャＶＯＢエントリタイプの情報（ＡＳＶＯＢ＿ＥＮＴ＿ＴＹ）２９１と、１つのスチルピクチャのサイズ（あるいは対応ビデオパートのサイズ）（ＡＳＶＯＢ＿ＳＺ）２９２とで構成されている。
【００６７】
静止画像情報もディスク形状の情報記憶媒体１００に記録する場合には、一度に複数枚の静止画像情報をまとめて記録する場合が多い。従って一度に記録する静止画像情報をまとめてスチルピクチャＶＯＢグループと呼び、スチルピクチャVOBグループに関する管理情報をスチルピクチャＶＯＢグループ情報ＡＳＶＵＩ＃１／２７３〜ＡＳＶＵＩ＃ｇ／２７９（図４（ｇ））内に記録し、スチルピクチャＶＯＢグループ単位での管理を行っている。
【００６８】
また、スチルピクチャＶＯＢグループ情報ＡＳＶＵＩ＃１／２７３〜ＡＳＶＵＩ＃ｇ／２７９内のスチルピクチャＶＯＢエントリＡＳＶＯＢ＿ＥＮＴ＃１／２８１〜ＡＳＶＯＢ＿ＥＮＴ＃ｆ／２８９（図４（ｈ））で静止画像１枚毎のデータサイズ（１つのスチルピクチャのサイズ２９２）の管理を行っている。
【００６９】
アイテムテキスト情報は、図５（ｅ）に示すようにテキストデータマネージャー１４６内にまとめて一括記録されている。
【００７０】
図５（ｆ）に示すように、テキストデータマネージャ１４６は、テキストデータ情報（ＴＸＴＤＴＩ）２３１と、１以上のアイテムテキストサーチポインタ（ＩＴ＿ＴＸＴ＿ＳＲＰ）２３２〜２３３と、１以上のアイテムテキスト（ＩＴ＿ＴＸＴ）２３６〜２３８とで、構成されている。ここで、図５（ｇ）に示すように、各アイテムテキスト（ＩＴ＿ＴＸＴ）２３９は、一般的なテキスト情報を含んでいる。
【００７１】
このように一括記録することで、全アイテムテキストの内容（図５（ｆ）のＩＴ＿ＴＸＴ＃１／２３６〜ＩＴ＿ＴＸＴ＃＃ｅ／２３８）に対して“テキストサーチ”などの検索が行え、音声情報検索に役に立つ。
【００７２】
なお、この明細書では、記憶媒体（１００）に記録されている各種のデータ構造が階層的に示され、しかも複数の図面に種々の方面から記載されているが、対応する部分には一貫して同一符号を付している。
【００７３】
音声関連情報に関する再生手順情報には、
１ａ．情報記憶媒体１００上に記録した順に再生する再生手順と、
２ａ．ユーザが任意に指定可能な再生手順と
の２通りが存在し、
１ｂ．情報記憶媒体１００上に記録した順に再生する再生手順に関する管理情報としての呼び名を“オリジナルＰＧＣ”と呼び、ユーザに対する呼び名を図６（ａ）に示すように“オリジナルトラック１”と名付ける。また、
２ｂ．ユーザが任意に指定可能な再生手順に関する管理情報としての呼び名を“ユーザ定義ＰＧＣ”と呼び、ユーザに対する呼び名を図６（ｂ）に示すように“プレイリスト”と名付ける。
【００７４】
ところで、ＣＤ（コンパクトディスク）、ＭＤ（ミニディスク）、カセットテープなどでは、ポピュラー音楽の曲毎あるいはクラシック音楽の楽章毎に設定されるトラックという管理単位を有している。上記プレイリスト（ユーザ定義ＰＧＣ）作成時にユーザは例えば“Ａ”と言う名のオリジナルトラックの一部と“Ｂ”と言う名のオリジナルトラックの一部を組み合わせて“Ｃ”と言う名の新しいトラックを作成する場合がある。
【００７５】
図６（ａ）でのピクチャ５の列は、それぞれのトラックの内容を示す静止画像である“代表画像”を示している。この発明の実施の形態では音声情報を再生するときに最初に表示する静止画像を代表画像に利用する場合が多いが、それに限らず最初に表示する静止画像とは別に代表画像を指定できる構造になっている。
【００７６】
ディスプレイモード７とは、音声情報再生時に表示する静止画像の切り替え方とタイミングを示したものであり、
＊ディスプレイオーダーモード（Display Order Mode）としては、
・シーケンシャル（Sequential）…あらかじめ指定された順番に従って表示する静止画像を切り替える方法；
・ランダム（Random）…静止画像の表示順をまったくランダムに設定する方法（最悪の場合には、同じ静止画像が続けて表示される場合もある）；
・シャフル（Shuffle）…静止画像の表示順をあらかじめ指定された順番に対して順番を入れ替えて表示する方法（１サイクルの内同一の静止画像が表示されるのは１回のみ）
がある。また、
＊ディスプレイタイミングモード（Display Timing Mode）としては、
・スライドショー（Slideshow）…あらかじめ決められたタイミングで次の静止画像へ切り替える方法；
・ブラウザブル（Browsable）…ユーザがスイッチを入れたときに初めて次の静止画像に切り替える方法（ユーザがスイッチを入れるまでは同じ静止画像が表示されている）
がある。
【００７７】
上記ディスプレイモード７は、トラック単位に設定され、同一トラック内でディスプレイモードが変化することはない。
【００７８】
タイムチャート１１とは、プレイリスト作成時にユーザがオリジナルトラックの一部を指定する時の指定範囲を可視化したものである。
【００７９】
ここで、「オリジナルトラック」とは、連続的に記録された内容の論理単位である。オリジナルトラックは、デジタルソース（ＤＣやＤＶＤディスクなど）からコピーされたときは１つのトラックに対応し、アナログソース（マイクや放送など）から録音されたときは１曲に対応する。トラックの一部が削除されたときは、オリジナルトラックの合計再生時間は減少するが、オリジナルトラックはそのまま残る。記録内容を編集した結果オリジナルトラックが改変されあるいは生成されたときは、そのオリジナルトラックは連続再生される論理単位として定義される。
【００８０】
全てのトラックで構成されるディスク（１００）の全記録内容は、「トラックセット」で表される。このトラックセットは、オーディオテープなどの連続媒体を抽象化したモデルに相当する。したがって、トラックセットの再生は、連続媒体がシミュレートされるように定義される。オリジナル記録に対して再生順序が変わるようにオリジナルトラックのいずれかが編集されない限り、トラックセットが再生されるときは、オリジナルトラックの再生順序はオリジナルトラックの記録順序と同じになる。オリジナルトラックまたはその一部が削除されたときは、合計再生時間は減少するが、トラックセットはそのまま残る。新たなオリジナルトラックが記録されたときは、それはトラックセットの末尾に追加される。このトラックセットは、オリジナルＰＧＣと呼ばれるデータ構造に対応している。
【００８１】
トラックの特定の一部分（セグメント）は「インデックス」と呼ばれる。いま、トラックが交響曲に対応しているとする。この場合、その交響曲の１つの楽章をインデックスに対応させることができる。インデックス部分（セグメント）の開始点は、インデックスポイントで示される。インデックスポイントは、ソース内容のインデックスデータのような所定情報を用いて、録音時に、装置（あるいは機器）により自動的に設定される。あるいは、インデックスポイントは、録音の一時停止または停止のようなユーザ操作によって、設定される。このインデックスは、トラックセット中のオリジナルトラックから継承することができるが、プレイリスト中で定義することもできる。
【００８２】
オリジナルトラック内の記録内容のサブユニットは、「パート・オブ・トラック」と呼ばれる。パート・オブ・トラックとは、ユーザにより指定された、オリジナルトラック中の連続した一部分である。この（パート・オブ・トラックという）抽象化は、プレイリスト自体を定義する場合でのみ使用される。このため、パート・オブ・トラックを直接示すデータ構造はない。
【００８３】
パート・オブ・トラックのリストは、「プレイリスト」と呼ばれる。プレイリストは、任意の再生手順をユーザが定義できるようにしたもので、各再生手順はトラックセットの一部を抽出したものと見ることができる。プレイリストは、ユーザ定義ＰＧＣとして定義される。
【００８４】
ユーザ定義ＰＧＣは、プログラムの一部の繋がりを示す。プログラムとは、ユーザにより認識されあるいは定義された記録内容の論理単位である。プログラムは１以上のオリジナルセルにより構成され、オリジナルＰＧＣ内でのみ定義される。ユーザ定義ＰＧＣはナビゲーションデータのみを含み、プログラムの各部分はオリジナルＰＧＣに属するストリームデータを参照するようになっている。したがって、ユーザ定義ＰＧＣの生成あるいは削除は、オリジナルＰＧＣには全く影響しない。
【００８５】
プレイリスト内の特定部分（セグメント）は、「ユーザ定義トラック」と呼ばれる。ユーザ定義トラックは、プレイリスト内でユーザにより指定されたセグメントである。ユーザは、プレイリストに、多数のパート・オブ・トラックを追加することができる。ユーザの視点から言えば、必ずしもトラックの全パートが１曲に属するというわけではない。したがって、ユーザは、指定されたパート・オブ・トラックの先頭において曲の始まりを定義できる。
【００８６】
以上のようにして作られたプレイリストに関する管理情報とオリジナルＰＧＣとの関係は図７に示され、オーディオオブジェクトファイルである図２のＡＲ＿ＡＵＤＩＯ．ＡＲＯ２２１との関係は図８に示されている。
【００８７】
図７の上部には、一時記憶装置としてＡＳＶＵバッファが示されている。ディスク１００からの再生データ（ＡＳＶＯＢｓ）はこのＡＳＶＵバッファに一時的に格納される。図７（ａ）に示すように、ＡＳＶＵバッファ内のデータは、複数のスチルピクチャ（Ｎｏ．１〜Ｎｏ．９）を含むことができる。図７（ｂ）の例では、スチルピクチャＮｏ．１〜Ｎｏ．４がオーディオトラックＮｏ．１に属し、スチルピクチャＮｏ．５〜Ｎｏ．６がオーディオトラックＮｏ．２に属し、スチルピクチャＮｏ．７〜Ｎｏ．９がオーディオトラックＮｏ．３に属している。この場合、たとえばオーディオトラックＮｏ．１の再生中において、スチルピクチャＮｏ．１〜Ｎｏ．４を所定のタイミングで表示できる。
【００８８】
図７（ｃ）に示すように、オーディオトラックＮｏ．１は、トラックヘッドエントリポイント（Ｃ＿ＥＰＩ）＃１／１７１およびスチルピクチャエントリポイント２１〜２３を伴っている。同様に、オーディオトラックＮｏ．２は、トラックヘッドエントリポイント（Ｃ＿ＥＰＩ）＃２／１７２およびスチルピクチャエントリポイント２４を伴い、オーディオトラックＮｏ．３は、トラックヘッドエントリポイント（Ｃ＿ＥＰＩ）＃３／１７３およびスチルピクチャエントリポイント２５〜２６を伴っている。
【００８９】
図７（ｄ）に示すように、トラックヘッドエントリポイント（Ｃ＿ＥＰＩ）＃１／１７１、＃２／１７２および＃３／１７３は、それぞれ、セル情報（ＣＩ）＃１／１６４、＃４／１６７および＃５／１６５を指定できるようになっている。セル情報（ＣＩ）＃２／１６５はスチルピクチャエントリポイント２１および２２により指定することができる。セル情報（ＣＩ）＃４／１６７はスチルピクチャエント２４により指定することができる。また、セル情報（ＣＩ）＃６／１６９はスチルピクチャエントリポイント２５および２６により指定することができる。
【００９０】
図７（ｅ）では、概念説明をするためにオーディオオブジェクト（ＡＯＢ＃１〜＃５）を記述してあるが、各ＡＯＢに関する管理情報が記録されているオーディオオブジェクト情報（図３（ｇ）のＡＯＢＩ＃１／１９６〜＃ｉ／１９７）内には、オーディオオブジェクトエントリ＃１〜＃５が記録されている。
【００９１】
図７（ｈ）は、オリジナルプログラムチェーン３２０を示している。このプログラムチェーンに対応する第１（＃１）プログラム情報、第２（＃２）プログラム情報、第３（＃３）プログラム情報、および第４（＃４）プログラム情報は、図７（ｇ）に示されている。これらのプログラム情報に対応するオリジナルセル情報３０１、３０２、３０３、３０４および３０５は、図７（ｆ）に示されている。これらのオリジナルセル情報は、それぞれ、図７（ｅ）のオートマティック、ファーストラブ、インマイルーム、アナザーチャンスという各曲（各オブジェクト）に対応している。
【００９２】
図７（ｄ）は、第１セル情報＃１／１６４が“Automatic”と言うトラック名（曲名）の音声情報の一部を指定し、第２セル情報＃２／１６５と第３セル情報＃３／１６６が“Another Chance”と言うトラック名（曲名）の音声情報を指定し、第４セル情報＃４／１６７が“In My Room”と言うトラック名（曲名）の音声情報を編集時に指定した場合を示している。この場合、セル情報＃１／１６４〜＃６／１６９の配置順に従い再生を行うと、“Automatic”の一部を再生・表示した後、“Another Chance”を再生・表示し、次に“In My Room”を再生・表示することになる。
【００９３】
図８（ａ）〜（ｄ）の内容は、図７（ａ）〜（ｄ）の内容と同じでよい。
【００９４】
図８（ｄ）に示すように、音声情報が記録されているＡＲ＿ＡＵＤＩＯ．ＡＲＯ２２１ファイル内のどの範囲を１個のセルで再生するかを示す情報が、上記セル情報＃１／１６４〜＃６／１６９内に記録されている。１個のＰＧＣ情報に従って再生する音声関連情報の再生手順は図１（ｇ）に示すようになっており、そのＰＧＣ情報１５６を構成するセル情報＃１／１６４〜＃６／１６９の配置順に再生・表示される。
【００９５】
例えば図８（ｄ）に示すようにセル情報＃１／１６４が“Automatic”と言うトラック名（曲名）の音声情報の一部を指定し、セル情報＃２／１６５と＃３／１６６が“Another Chance”と言うトラック名（曲名）の音声情報を指定し、セル情報＃４／１６７が“In My Room”と言うトラック名（曲名）の音声情報を指定した場合には、セル情報＃１／１６４〜＃６／１６９の配置順に従い、“Automatic”の一部を再生・表示した後、“Another Chance”を再生・表示し、次に“In My Room”を再生・表示することになる。
【００９６】
図８（ｅ）に示すように、この発明の実施の形態では、１個のセルは音声情報ファイルであるＡＲ＿ＡＵＤＩＯ．ＡＲＯ２２１内の連続再生範囲のみを指定できる（換言すればＡＲ＿ＡＵＤＩＯ．ＡＲＯ２２１内で飛び石的（離散的）に存在する再生範囲をまたがって指定できない）ようになっている。このため、この場合には、“Ａ”と言う名のオリジナルトラックの一部を１個の（ユーザ定義）セル＃１（第１セル）と指定し、“Ｂ”と言う名のオリジナルトラックの一部を別の１個の（ユーザ定義）セル＃２（第２セル）と指定し、“Ｃ”と言う名の新しいトラックをこのセル＃１とセル＃２の組み合わせとして定義・管理している。ここにこの実施の形態の特徴がある。
【００９７】
従って、この発明の実施の形態では１個以上のセルの組み合わせで１個のトラックを構成するデータ構造になっている。
【００９８】
図８（ｄ）に示し、前述したように、各セル情報＃１／１６４〜＃６／１６９内には該当するセルが指し示すＡＯＢ（オーディオオブジェクト）とセルの開始時間と終了時間が時間情報として記録されている。
【００９９】
この指定されたセルを再生する場合には、指定されたＡＯＢ内の指定された時間範囲内を再生するが、この時間情報に対しては、オーディオオブジェクト情報＃１／１９６〜＃ｉ／１９７内に記録されたオーディオオブジェクトユニットエントリ＃１／２４１〜＃ｈ／２４８（図３（ｈ））の情報を用いてＡＲ＿ＡＵＤＩＯ．ＡＲＯ２２１内の相対アドレスに変換した後、希望する音声情報を再生することになる。
【０１００】
ここで、再生開始は任意に選択できるようになっている。トラックヘッドエントリポイント１７１、１７２、１７３のいずれかをユーザが指定すると、“Automatic”＋“Another Chance”、または“In My Room”、もしくは“First Love“＋“Another Chance”のいずれのトラック（編集後の曲）からでもスタートすることができる。この場合、編集後のトラックとして、Ｎｏ．１、Ｎｏ．２、Ｎｏ．３の３つの例が示されている。オーディオトラックに関連させてスチルピクチャも指定しておくこともできる。
【０１０１】
次に音声情報の再生時に同時に表示する静止画像情報（スチルピクチャオブジェクト）に対する管理情報は、図４（ｅ）に示すスチルピクチャＡＶファイル情報テーブル（Ｓ＿ＡＶＦＩＴ）１４２内に記録されている。
【０１０２】
それぞれのオリジナルトラックの一部にそれぞれセル情報（ＣＩ）＃１／１６４〜＃６／１６９が対応し、そのセル情報（ＣＩ）＃１／１６４〜＃６／１６９内には、各トラック内の２枚目以降に表示する静止画像に対する管理情報が記録されたスチルピクチャエントリポイント２１〜２６（図７（ｃ）または図８（ｃ））が存在している。
【０１０３】
各セル情報（各ＣＩ＃１／１６４〜＃６／１６９）内には、“対応するオーディオオブジェクト情報（図３（ｇ）のＡＯＢＩ＃１／１９６〜＃ｉ／１９７）の指定情報”と“それぞれの開始と終了時刻に関する情報”が記録されており、対応するオーディオオブジェクト情報＃１／１９６〜＃ｉ／１９７内の図７（ｅ）のオーディオオブジェクトエントリ＃１〜＃５（図３（ｈ）のＡＯＢＵ＿ＥＮＴ＃１／２４１〜＃ｈ／２４８）を参照して、ＡＲ＿ＡＵＤＩＯ．ＡＲＯ２２１上のアクセスアドレスを割り出せるようになっている。
【０１０４】
ＤＶＤフォーラムで制定したビデオレコーディング規格との間の互換性を確保するために、上記のデータ構造を保持しつつ音声情報特有のトラックの区切りを規定する方法として、この発明の実施の形態では、「再生手順を示す情報であるＰＧＣ情報内に上記音声情報に対するトラックの切れ目位置を示す情報を記録」している。ここに、この発明の第１の大きな特徴がある。
【０１０５】
それを実現する方法として、図１に示した実施の形態では、各トラック毎の再生開始位置に存在するセルの管理情報であるセル情報＃１／１６４、＃４／１６７、＃５／１６８の中に、第１（＃１）、第２（＃２）、第３（＃３）のトラックヘッドエントリポイント１７１、１７２、１７３（またはセルエントリポイントＣ＿ＥＰＩ  ＃１〜＃３）と言う情報記録領域を設定し、その中に、図９に示すトラック固有の情報を記録している。
【０１０６】
図７（ｃ）、図８（ｃ）に示したトラックヘッドエントリポイント（図１（ｈ）のＣ＿ＥＰＩ）＃１／１７１〜＃３／１７３とスチルピクチャエントリポイント２１〜２６内に記録される情報内容について、図９を用いて説明する。
【０１０７】
「表示する静止画像の保存場所を指定する情報」は、図４（ｇ）、（ｈ）に示すスチルピクチャＶＯＢグループ情報（ＡＳＶＵＩ）＃１／２７３〜＃ｇ／２７９の番号指定情報とその中のスチルピクチャＶＯＢエントリ（ＡＳＶＯＢ＿ＥＮＴ）＃１／２８１〜＃ｆ／２８９の番号指定情報により対応する静止画像を指定している。
【０１０８】
図９に示すように、エントリポイントの種類としては、トラックヘッドエントリポイント（図１（ｈ）、図１１（ｄ））、またはプログラム情報（図７（ｇ））がある。このエントリポイントのエントリポイント情報の内容としては、エントリポイントタイプ情報（図２９その他のＥＰ＿ＴＹ；トラックヘッドエントリポイントかスチルピクチャエントリポイントかの識別情報）、該当するオーディオトラックの内容を示す代表音声の表示範囲を指定する情報（図４４のＲＡ＿ＤＵＲ；該当するオーディオトラック内の再生開始時間と再生終了時間で指定されている）、該当するオーディオトラックの内容を代表する代表画像の保存場所を指定する情報［図２９、図５０のＲＥＰ＿ＰＩＣＴＩＳ＿ＶＯＢサーチポインタ番号（スチルピクチャＶＯＢグループ番号）とその中のＶＯＢエントリ番号で指定される］がある。
【０１０９】
さらに該当するオーディオトラック固有のテキスト情報（プライマリテキスト情報ＰＲＭ＿ＴＸＴＩ；曲名、演奏者名、歌手名、作曲者名など）、付加説明用テキスト情報（セントラルテキスト情報；アイテムテキストＩＴ＿ＴＸＸＴ）、該当するオーディオトラック内での静止画像の表示モード（ディスプレイオーダーモード、ディスプレイタイミングモード）、該当する静止画像の表示時間範囲情報、表示する静止画像内容のオリジナルトラックとの関係（オリジナルトラックのものと同じ静止画像を表示するか、別の独自の静止画像（ニューリーセット）を表示するか）、消去禁止フラグなどの情報がある。
【０１１０】
またスチルピクチャエントリポイント内には、エントリポイントタイプ情報（トラックヘッドエントリポイントかスチルピクチャエントリポイントかの識別情報）、表示する静止画像の保存場所を指定する情報［Ｓ＿ＶＯＧＩサーチポインタ番号（スチルピクチャＶＯＢグループ番号）とその中のＶＯＢエントリ番号で指定される］、上記の静止画像を表示するタイミングの指定情報（対応するオーディオオブジェクトの表示時間情報を指定して両者間の表示タイミングを合わせるためのもの）、該当する静止画像の表示時間範囲情報、などがある。なおこれらの情報の他にさらに追加してもよいことはもちろんである。
【０１１１】
この発明は、図１の実施形態に限らず、トラックヘッドエントリポイント（図１（ｈ）のＣ＿ＥＰＩ）１７１〜１７３を使う代わりに、図示してないがトラック先頭に位置するセルのセル情報＃１／１６４、＃４／１６７、＃５／１６８の中に「該当するセルがトラックの先頭位置に配置されてことを示すフラグ情報」（“フラグ＝１”のときには該当セルがトラックの先頭位置に存在し、“フラグ＝０”のときは該当セルがトラックの２番目以降に存在する）の記録領域が設定されてもよい。また、更に各セル情報（図１（ｇ））＃１／１６４、＃４／１６７、＃５／１６８の一般情報記録領域内に、図９に示した内容の情報を記録する方法も、この発明の実施の形態に含まれる。
【０１１２】
図６（ａ）のオリジナルトラック１の表示画面とそれに対する管理情報のデータ構造について図７を用いて説明する。
【０１１３】
図６（ａ）のオリジナルトラック１に関する情報は全てオリジナルプログラムチェーン情報１４４内で管理されている。その概念を図７（ｈ）に示すオリジナルＰＧＣ３２０で模式図化した。オリジナルトラックに関しては各トラック毎にそれぞれプログラムが対応し、１オリジナルトラック＝１プログラムの関係になっている。図９に示すようなそれぞれのオリジナルトラックに関する情報は、このプログラムに関する管理情報記録領域であるプログラム情報＃１／３１１〜＃５／３０５内に記載されている。
【０１１４】
１個のプログラムは１個以上のオリジナルセルから構成され、各オリジナルセルに対してオリジナルセル情報＃１／３０１〜＃５／３０５の管理情報記録領域が存在している。オリジナルトラック１（オリジナルＰＧＣ３２０）内においては全てのオリジナルセル＃１／３０１〜＃５／３０５に対して１対１にＡＯＢ＃１〜＃５が対応し、１セル＝１ＡＯＢの関係になっている。
【０１１５】
図６（ａ）（ｂ）と図７、図８の対応関係を以下に説明する。
【０１１６】
図６（ａ）に示した“Automatic”と言うトラック名（曲名）の音声情報はＡＲ＿ＡＵＤＩＯ．ＡＲＯ２２１ファイル内のＡＯＢ＃１内に記録され、オリジナルトラックに関する管理情報はプログラム情報＃１／３１１内に記録され、再生に関する情報はオリジナルセル情報＃１／３０１内に記録されている。
【０１１７】
同様に“First Love”と言うトラック名（曲名）の音声情報はＡＲ＿ＡＵＤＩＯ．ＡＲＯ２２１ファイル内のＡＯＢ＃２／内に記録され、オリジナルトラックに関する管理情報はプログラム情報＃２／３１２内に記録され、再生に関する情報はオリジナルセル情報＃２／３０２内に記録されている。
【０１１８】
録画直後の“Another Chance”と言うトラック名（曲名）の音声情報は１個のＡＯＢとして管理されていたが、そのトラック内の一部を部分消去したため、ＡＯＢ＃４とＡＯＢ＃５の２個のＡＯＢに分割され、それに応じてオリジナルセル情報＃４／３０４と＃５／３０５に２分割された（図７（ｅ））。しかしトラック自体は変化しないため、プログラム情報＃４／３１４は１個のまま維持されている。
【０１１９】
ユーザは図６（ｂ）に示した画面を用いて編集処理によりユーザが望むプレイリスト内の新しいトラックを作成する。例えば図６（ｂ）に示すようにプレイリスト＃１（Play List）２を作成した場合を考える。すなわち“Automatic”のＡからＢまでの範囲と“Another Chance”の全部をつないでニュートラックＮｏ．１を作り、この音楽再生中に表示する静止画像を図７（ａ）に示すスチルピクチャとしてはＮｏ．１からＮｏ．４までの４枚を設定する。
【０１２０】
次に“In My Room”の表示する静止画像を変えた物をニュートラックＮｏ．２とし、“First Love”のＡからＢまでと“Automatic”のＣからＤまでをつなぎ、スチルピクチャＮｏ．７からＮｏ．９までの３枚の静止画像を設定してニュートラックＮｏ．３とする。
【０１２１】
この静止画像情報の指定方法を模式図的に示したのが図１０である。図１０の（ａ）〜（ｄ）の内容は、図７の（ａ）〜（ｄ）の内容と同様でよい。
【０１２２】
図１０において、全ての静止画像は各スチルピクチャＶＯＢグループ（図１０（ｆ）、図１０（ｅ）のＡＳＶＵ）＃１〜＃ｇ毎にまとめてスチルピクチャオブジェクトファイルＡＲ＿ＳＴＩＬＬ．ＡＲＯ２１３（図１０（ｆ））内に記録され、各１枚毎の静止画像の管理情報はスチルピクチャＶＯＢグループ情報（図１０（ｅ）のＡＳＶＵ）＃１／２７３〜＃ｇ／２７９内のスチルピクチャＶＯＢエントリ（図１０（ｅ）のＡＳＶＯＢ＿ＥＮＴ＃）２８１〜２９９に記録されている。ここで、セル情報ＣＩ（図１０（ｃ））は、種々なエントリポイント（図１０（ｄ））を介して、スチルピクチャＶＯＢグループ（図１０（ｅ）（ｆ）のＡＳＶＵ）を参照できるようになっている。
【０１２３】
また、ムービーオブジェクトファイルＶＲ＿ＭＯＶＩＥ．ＶＯＲ２１２（図１０（ｈ））は、所定のスチルピクチャＶＯＢエントリ（たとえば図１０（ｇ）の＃ｇ−１、＃ｇ−２）を介して、スチルピクチャＶＯＢグループ（たとえば図１０（ｆ）のＡＳＶＵ＃ｇ）を参照できるようになっている。
【０１２４】
図９の「表示する静止画像の保存場所を指定する情報」は図１０におけるトラックヘッドエントリポイント（Ｃ＿ＥＰＩ）＃１／１７１〜＃３／１７３とスチルピクチャエントリポイント２１〜２６（図１０（ｄ））から各スチルピクチャＶＯＢエントリ２８１〜２９９（図１０（ｅ）のＡＳＶＯＢ＿ＥＮＴ）に向かう“実線の矢印”に対応する。
【０１２５】
また図９で指定した「静止画像を表示するタイミング指定情報」とは、ディスプレイオーダーモード（Display Order Mode）としてシーケンシャルモード（“Sequential Mode”）を指定し、ディスプレイタイミングモード（Display Timing Mode）としてスライドショー（“Slideshow”）を指定した場合に有効となるタイミング指定情報であり、既に表示してある静止画像に対して該当するスチルピクチャエントリポイント２１〜２６が指定した静止画像に表示を切り替える時刻情報を意味する。
【０１２６】
上記のディスプレイモードでは
・次のスチルピクチャエントリポイント２１〜２６が指定した時刻、あるいは
・該当するトラックが終了する時刻
まで、ここで指定した静止画像を表示し続ける。
【０１２７】
この発明では、表示を切り替える時刻情報を音声情報の再生時間情報（Presentation Time）で表現しているが、この発明はそれに限られない。例えば、該当するトラックの再生開始時刻から指定した静止画像に表示を切り替える時刻までの差分時間情報を、用いることもできる。「該当する静止画像の表示時間範囲情報」は、表示タイミングモードをブラウザブルモード（“Browsable Mode”）に指定したときに、有効となる。
【０１２８】
ユーザがスイッチを押すと、前に表示していた静止画像からこのスチルピクチャエントリポイント２１〜２６で指定した静止画像に切り替わるが、その後ユーザがスイッチを押さない場合には、該当するトラックが終了するまで同じ静止画像を表示し続けることとなる。
【０１２９】
「該当する静止画像の表示時間範囲情報」で最大表示時間を設定すると、その時間までユーザが静止画像の切り替えスイッチを押さない場合には自動的に該当する静止画像の表示を中止し、例えば自動的に“ブルーバック”に画面が切り替わるなどの処理が可能になる。
【０１３０】
逆に、ユーザが誤って静止画像の切り替わりスイッチを押し続けた場合には、すぐに次々と静止画像が変わってしまい、ユーザに落ち着いて静止画像を見せることができなくなる。
【０１３１】
「該当する静止画像の表示時間範囲情報」で最小表示時間を設定すると、ユーザが静止画像の切り替わりスイッチを押し続けても、ここで設定した最小表示時間の間は表示する静止画像が切り替わらないようにできる。
【０１３２】
トラックヘッドエントリポイント１７１〜１７３またはプログラム情報３１１〜３１４内で指定された静止画像は常に該当するトラックの再生開始と同時に表示されるので「静止画像を表示するタイミング指定情報」は不要となる。
【０１３３】
この発明では、該当するトラックの再生開始と同時に表示されることとは別に、「該当するオーディオトラックの内容を代表する代表画像の保存場所を指定する情報」により、独自にトラック単位の代表画像を設定することが可能になっている。
【０１３４】
図９に示す「該当するオーディオトラックの内容を代表する代表画像の保存場所を指定する情報」で指定した静止画像は、図６（ａ）（ｂ）のピクチャ５、６の列に表示される静止画像に対応する。また図９に示す「該当するオーディオトラックの内容を代表する代表画像の保存場所を指定する情報」は、図１０におけるトラックヘッドエントリポイント＃１／１７１〜＃３／１７３とスチルピクチャエントリポイント２１〜２６から各スチルピクチャＶＯＢエントリ２８１〜２９９に向かう“破線の矢印”に対応する。
【０１３５】
上述したように静止画像に対するディスプレイモード７はトラック単位に設定され、同一トラック内でディスプレイモードが変化することはないため、トラック固有の情報としてトラックヘッドエントリポイント１７１〜１７３またはプログラム情報３１１〜３１４内に記録される。図９における「該当するオーディオトラック内での静止画像の表示モード（ディスプレイモード）」で設定された内容が図６（ａ）（ｂ）のディスプレイモード７、８に表示される。
【０１３６】
図９における「該当するオーディオトラック固有のテキスト情報（プライマリテキスト情報）」の内容が、以前に説明した図１１（ｅ）におけるプライマリテキスト情報５１〜５３に対応し、その情報の中の“曲名”の情報が図６（ａ）の“トラックタイトル３”の列に表示される。図９における「付加説明用テキスト情報」は、以前説明した図１１（ｄ）でのトラックヘッドエントリポイント＃１／１７１〜＃３／１７３からアイテムテキスト＃１／２３６〜＃ｅ／２３８へ向かう“矢印”に対応し、“アイテムテキスト番号”を示す情報内容を持っている。
【０１３７】
図９における「表示する静止画像内容のオリジナルトラックとの関係」の情報内容が図６（ｂ）での“スチル１０”に表示される。すなわち図６（ｂ）におけるニュートラックＮｏ．１〜Ｎｏ．３で表示する静止画像はオリジナルトラック１で使われた静止画像をそのまま利用しているか（この場合が“オリジナル”と表示される）、オリジナルトラック１で使われた静止画像とは別にユーザが独自に設定したものか（この場合は“ニューリーセット”と表示される）の識別情報が与えられている。
【０１３８】
この発明では消去可能領域であるか、消去不可能な領域であるかの設定単位をトラック単位で設定している。従って消去を禁止するオーディオトラックに対しては「消去禁止フラグ」が“１”の情報が設定される。
【０１３９】
図９に示すように“曲名”や“歌手名”“演奏者名”などのトラック毎の固有な情報は、テキスト情報としてトラックヘッドエントリポイント（Ｃ＿ＥＰＩ）＃１／１７１〜＃３／１７３（図１（ｈ）、図１１（ｄ））内に記録されている。“曲名”や“歌手名”“演奏者名”など比較的データ量が少ないテキスト情報を記録する場所として、トラックヘッドエントリポイント（Ｃ＿ＥＰＩ）＃１／１７１〜＃３／１７３内に、プライマリテキスト情報５１〜５３と言う名の記録領域が存在する。
【０１４０】
それに対して、トラック毎の固有情報ではあるがデータ量が膨大でプライマリテキスト情報５１〜５３内に記録できない情報は、図１１に示すように、アイテムテキスト（アイテムテキストサーチポインタ番号ＩＴ＿ＴＸＴ＿ＳＲＰＮで指定されるＩＴ＿ＴＸＴ）＃１／２３６〜＃ｅ／２３８（図１１（ｆ））内に記録される。そして、トラックヘッドエントリポイント（図１１（ｄ）のＣ＿ＥＰＩ）＃１／１７１〜＃３／１７３内には、何番目のアイテムテキスト（ＩＴ＿ＴＸＴ）を示すかの情報（ＩＴ＿ＴＸＴ＿ＳＲＰＮのテーブル）を持ったポインタ情報のみが記録される構造になっている。
【０１４１】
プログラム情報＃１／３１１〜＃４／３１４での静止画像の設定状況を図１２に示す。
【０１４２】
図１２（ａ）はオリジナルオーディオトラック（図１２（ｂ））に対応したスチルピクチャを示し、図１２（ｃ）はオリジナルプログラムチェーンを示している。
【０１４３】
ここで各オリジナルオーディオトラックにはプログラム情報が対応している。そして、プログラム情報（図１２（ｄ））＃１／３１１〜＃４／３１４内には、それぞれのオーディオトラック内容を示す代表画像を指定する情報（ＲＥＰ＿ＰＩＣＴＩ）４１〜４４が記録されており、そこから直接スチルピクチャＶＯＢエントリ（ＡＳＶＯＢ＿ＥＮＴ＃またはＡＳＶＯＢ＿ＥＮＴＮ）＃１／２８１〜＃ｐ＋１／２９６（図１２（ｇ））を指定できるようになっている。図１２（ｇ）は別ファイルであり、スチルピクチャＶＯＢグループ情報（ＡＳＶＵＩ２７３、２７４；あるいはＡＳＶＵＮ）である。
【０１４４】
オリジナルセル情報（図１２（ｅ）のＣＩ）＃１／３０１〜＃５／３０５内は、トラックヘッドエントリポイント情報は持たず、（オーディオトラック再生開始時に表示する静止画像も含めて）全てスチルピクチャエントリポイント（図１２（ｆ）のＣ＿ＥＰＩ）３１〜３９のみの情報になる。
【０１４５】
また管理情報内には代表画像指定情報（図１２（ｄ）のＲＥＰ＿ＰＩＣＴＩ）４１〜４４が存在し、これはトラック単位に指定され、そのトラック内容を示す代表画像の指定情報として機能する。
【０１４６】
また、上記の代表画像の指定情報は、オーディオトラック再生時に表示する静止画像の指定情報とは別に設けられている。このために、オーディオトラック再生時にぼう持する静止画像が記録されているビデオオブジェクト（ＶＯＢ）グループ以外の別場ところにあるＶＯＢグループ内の任意の静止画像を代表画像として設定でき、自由度を高めることができる。
【０１４７】
図１３は、更に別の実施の形態あるいは上記の実施の形態とともに共存する実施の形態である。ここでは、プログラム情報（ＰＧＩ）＃１／３１１〜＃４／３１４でのテキスト情報の設定状況を図１３（ｄ）に示している。図９の「該当するオーディオトラック固有のテキスト情報」は図１３（ｄ）に示すようにプログラム情報（ＰＧＩ）＃１／３１１〜＃４／３１４内のプライマリテキスト情報（ＰＲＭ＿ＴＸＴＩ）５６〜５９内に記録される。
【０１４８】
また、図９の「付加説明用テキスト情報」は図１３（ｅ）のアイテムテキスト＃１／２３６〜＃ｅ／２３８（またはＩＴ＿ＴＸＴ２３９）へ向かう“矢印”に対応し、“何番目のアイテムテキストを指定するか”の情報（ＩＴ＿ＴＸＴ＿ＳＰＲＮ）が記録されている。
【０１４９】
以上の説明では図９に示すようなオーディオトラックに関する固有情報の記録・管理場所として
・オリジナルトラックの場合にはプログラム情報内に記録し管理する；または・プレイリストの場合にはトラックヘッドエントリポイント内に記録し、管理する
場合について説明した。
【０１５０】
しかしこの発明においては上記方法に限らず、オーディオトラックに関する固有情報の記録・管理場所が逆転したり、両方とも同一の場ところに記録し、管理する場合もこの発明範囲内に含まれる。
【０１５１】
すなわち、プレイリストに対してもユーザ定義ＰＧＣ内にプログラム情報が存在し、このユーザ定義ＰＧＣ内のプログラム情報内に図９に示すようなオーディオトラックに関する固有情報を記録し、管理する方法もこの発明範囲内に含まれる。
【０１５２】
図１４には、この発明における情報記録再生装置内の構造を示す。
【０１５３】
ディスクドライブ部４０９で情報記憶媒体１００に対する情報の記録及び再生を行っている。各種入力手段４４０〜４４２、４１２、４１３から入力された各種オブジェクト情報はエンコーダ部４０１でエンコードされた後にディスクドライブ部４０９を介して情報記憶媒体１００上に記録される。同時にそのオブジェクト情報に関する管理情報がメインＭＰＵ部４０４内で作られ、ディスクドライブ部４０９を介して情報記憶媒体１００上に記録される。
【０１５４】
入力手段としては、マイク４４１、Ａ／Ｖ入力部４１２、キー入力部４４２、ＴＶチューナ部４１３、デジタルカメラ４４０がある。また放送信号を受信するセットトップボックス（ＳＴＢ）部４０３がある。エンコーダ部４０１は、Ａ／Ｖ入力が与えられるアナログデジタル（Ａ／Ｄ）変換部４１４、このＡ／Ｄ変換部４１４の出力信号（ビデオ信号）またはＳＴＢ部４０３からの出力ビデオ信号４２３のいずれかを任意に選択するセレクタ４１５を有する。
【０１５５】
ビデオエンコード部４１６は、セレクタ４１５からのビデオ信号を例えばＭＰＥＧ規格に従い圧縮符号化のためにエンコードし、フォーマッタ部４１９に与える。オーディオエンコード部４１７は、Ａ／Ｄ変換部４１４からのオーディオ信号に対して例えばＭＰＥＧあるいはＰＣＭなどの処理を行い、フォーマッタ部４１９に与える。キー入力部４４２からの情報は、リアルタイムテキスト（ＲＴ＿ＴＥＸＴ）エンコード部４１８に入力され、テキストデータとしてフォーマッタ部４１９に入力される。フォーマッタ部４１９には、バッファメモリ部４２０が接続され、入力データが所定のフォーマットに変換するときの時間調整用として利用される。
【０１５６】
フォーマッタ部４１９の出力（所定のフォーマットに変換された情報）は、デジタルプロセッサ（Ｄ−ＰＲＯ）部４１０で、管理情報と対応させられ、ディスクドライブ部４０９を介して情報記憶媒体１００に記録される。Ｄ−ＰＲＯ部４１０には、一時記憶部４１１が接続され、データ処理のバッファリングとして機能している。またＤ−ＰＲＯ部４１０では、エラー訂正符号の付加、変調処理などが施される。
【０１５７】
管理情報は、メインＭＰＵ部４０４において、作成される。また、情報記憶媒体１００から読み取られた管理情報もメインＭＰＵ部４０４にて解読される。メインＭＰＵ部４０４は、内部にオーディオ関連データ作成制御部、オーディオ関連データ再生制御部、オーディオ関連データ部分消去制御部、ワークＲＡＭ部を有する。またメインＭＰＵ部４０４には、表示部４０８が接続され、またこの装置を制御するためのキー入力部４０７も接続されている。
【０１５８】
上記情報記憶媒体１００の情報が再生される場合には、ディスクドライブ部４０９の例えば光学的な情報読み取り手段により記録情報が読み取られ、光電変換された信号がＤ−ＰＲＯ部４１０に導入される。そして再生情報は、デコーダ部４０２の分離部４２５に入力され、ビデオ情報、オーディオ情報、テキスト情報に分離される。
【０１５９】
ビデオ情報は、ビデオデコード部４２８に導かれてデコードされ、オーディオ情報は、オーディオデコード部４３０に導かれてデコードされ、さらにテキスト情報は、テキストデコード部４２９に導かれてデコードされる。
【０１６０】
ビデオデコード部４２８の出力ビデオ信号と、テキストデコード部４２９の出力テキストは、ビデオ処理（Ｖ−ＰＲＯ）部４３８に入力される。ビデオ処理部４３８から出力されたビデオ信号は、ビデオ（Ｖ）ミキシング部４０５を介してデジタルアナログ変換部４３６でアナログ信号に変換され、テレビジョン表示器４３７に供給される。
【０１６１】
またビデオミキシング部４０５では、ＳＴＢ部４０３からのビデオ信号を合成することもできる。またこのビデオミキシング部４０５には、フレームメモリ部４０６が接続されている。ビデオミキシング部４０５の出力は、さらにインターフェース４３４を介してパソコン４３５に供給することも可能である。
【０１６２】
先のオーディオデコード部４３０においは、オーディオ信号がデコードされ、そのデコード出力は、インターフェース４３１を介してデジタル出力として導出することができる。またデコード出力は、デジタルアナログ変換器４３２を介してスピーカ４３３へ供給される。デジタルアナログ変換器４３２には、ＳＴＢ部４０３からオーディオ信号を入力することもできる。
【０１６３】
システムクロック部４５０は、ＳＴＢ部４２１とデコーダ部４０２とエンコーダ部４０１、メインＭＰＵ部４０４など全体の同期を得るためのクロックを生成している。システムクロック部４５１は、ディスク再生時に再生情報とデコーダ部４０２との同期を取るための基準クロックを生成している。
【０１６４】
再生時にはディスクドライブ部４０９を介して情報記憶媒体１００内に記録されている管理情報がメインＭＰＵ部４０４内のワークＲＡＭ部内に一時記録される。このワークＲＡＭ部内に一時記録された管理情報を利用して情報記憶媒体１００上に記録された再生対象のオブジェクト情報が読み取とられ、さらにデコーダ部４０２でデコードされ、その後デコード出力がスピーカー４３３、テレビ表示器４３７あるいは表示部４０８に出力される。
【０１６５】
ユーザインターフェースも含めた音声関連情報に関するプレイリストの作成方法と、その結果作られた管理データの詳細構造について以下に説明する。
【０１６６】
ユーザがプレイリストを作成するときには図１４の表示部４０８には図６（ａ）（ｂ）に示すようなオリジナルトラック１のリストと、ユーザが作成しようとするプレイリスト＃１（Play List）２の両方を表示してユーザの利便性を高めたところにこの発明の実施の形態の特徴がある。
【０１６７】
次に、図１５、図１６を用いて情報記憶媒体１００上に対する音声関連情報の録音方法について説明する。
【０１６８】
この発明におけるほとんどの処理は、情報記憶媒体１００上に記録された管理情報記録領域１３０の情報を読み取り、一時的にメインＭＰＵ部４０４内のワークＲＡＭ部内に一時記録（図１５のステップＳ１）する。そして、一連の処理の後にワークＲＡＭ部内に記録され、一部内容が変更された管理情報を、情報記憶媒体１００上に記録する処理（図１６のステップＳ１２）を行う。
【０１６９】
図１５、図１６に示したこの発明の実施の形態では、始めに音声情報をＡＲ＿ＡＵＤＩＯ．ＡＲＯ２２１ファイルの後ろに追加記録（ステップＳ２）し、その後でワークＲＡＭ部内の管理情報を書き換える処理を行う。管理情報内容の変更に対しては、始めに音声情報に関する管理情報をオーディオオブジェクト情報内に追記変更する。
【０１７０】
つまり、ステップＳ３では、メインＭＰＵ部４０４内では、ステップＳ２で録音したオーディオトラックにあわせてプログラム情報、オリジナルセル情報、オーディオオブジェクト情報を作成し、ワークＲＡＭ部に追加記録する。
【０１７１】
さらにステップＳ４では、録音したオーディオトラックに対してオーディオオブジェクトユニット毎のＡＲ＿ＡＵＤＩＯ．ＡＲＯ２２１内の相対アドレスを調べ、ワークＲＡＭ部内のオーディオオブジェクト情報内に追加記録する。
【０１７２】
次に音声情報と同時に表示する静止画像（スチルピクチャ）を設定するかをユーザに問い合わせる（ステップＳ５）。もし、オーディオ再生と同時に静止画像を表示しない場合は（ステップＳ５のノー）、処理は図１６のステップＳ１１にジャンプする。オーディオ再生と同時に表示すべき静止画像を設定する場合でも、
（１）音声情報の録音と同時に新規の静止画像を記録するときには（ステップ６のイエス）、
…新規記録する静止画像をＡＲ＿ＳＴＩＬＬ．ＡＲＯ２１３ファイルに記録し、それに対応して静止画像の管理情報スチルピクチャＶＯＢグループ情報を作成する。つまり、静止画像情報をＡＲ＿スチルピクチャオブジェクト記録領域１３２内に記録（ＡＲ＿ＳＴＩＬＬ．ＡＲＯ２１３ファイル後端に追記）し、それにあわせてスチルピクチャＶＯＢグループ情報を作成し、ワークＲＡＭ部内に追記する（図１６のステップＳ７）。
【０１７３】
（２）既に情報記憶媒体１００上に記録されている静止画像を利用するときには（ステップ６のノー）、
…音声情報と同時に表示する静止画像をユーザに選んでもらう（図１６のステップＳ８）。つまり、すでに情報記憶媒体１００内に記録されたスチルピクチャＶＯＢグループの中から該当するオーディオトラックに対して同時表示したい静止画像をユーザに選んでもらう。
【０１７４】
のいずれかの方法を選択する。
【０１７５】
スチルピクチャエントリポイントに設定する「静止画像を表示するタイミングの指定情報」の情報内容については、図１４の情報記録再生装置のメインＭＰＵ部４０４内で
〔静止画像１枚当たりの表示時間〕＝〔該当するオーディオトラックの再生時間〕÷〔該当するオーディオトラック内で表示する静止画像枚数〕
の計算が行なわれ、計算結果が自動設定される（ワークＲＡＭ部内に一時記録されているスチルピクチャエントリポイント３１〜３９内の「静止画像を表示するタイミングの指定情報」に対して、計算結果の値が記録される）（ステップＳ９）。
【０１７６】
次にプログラム情報３１１〜３１４内に記録し、オーディオトラック毎に設定する「該当するオーディオトラックの内容を代表する代表画像の保存場所を指定する情報」、「該当するオーディオトラック固有のテキスト情報」、「付加説明用テキスト情報」、「該当するオーディオトラック内での静止画像の表示モード」、「消去禁止フラグ」の情報をユーザに入力してもらう（ステップＳ１０、ステップＳ１１）。
【０１７７】
つまり、ステップＳ１０において、ユーザに「該当するオーディオトラックに対する代表画像」を「静止画像の表示モード」として設定してもらい、その情報をワークＲＡＭ部内に一時記憶されているプログラム情報３１１〜３１４内に記録する。
【０１７８】
次にステップＳ１１で、キー入力部４０７を利用してユーザに「プライマリテキスト情報」と「アイテムテキスト情報」を設定してもらい、その情報をワークＲＡＭ部内に一時記録されているプライマリテキスト情報５６〜５９とアイテムテキスト２３６〜２３８内に記録するとともにアイテムテキストへのポインタ情報も記録する。
【０１７９】
また図示していないが、オーディオトラック毎の固有情報をプログラム情報３１１〜３１４内に記録するとき（ステップＳ１０）、図９に示す「該当するオーディオトラックの内容を示す代表音声の表示範囲を指定する情報」内に該当するオーディオトラックの再生開始時間から特定の時間（例えば５秒間）までの時間を自動的に記録される。この時間範囲を変更したい場合には、編集処理時にユーザが代表音声の表示範囲を設定し直すことができる。
【０１８０】
以上の一連の処理により音声関連情報に関する管理情報を完成させ、その管理情報はディスクドライブ部４０９を経由して情報記憶媒体１００上へ記録する（ステップＳ１２）。
【０１８１】
この発明においてオリジナルトラック内の部分消去を行う方法に付いて説明する。図７（ｅ）（ｆ）に示すように“Another Chance”と言うトラック名（曲名）のオリジナルトラックの中央部を部分消去するとＡＯＢ＃４、＃５のようにオーディオオブジェクトが２分割される。また、それに対応してオーディオオブジェクト情報、オリジナルセル情報＃４／３０４、＃５／３０５が２分割される。その時の情報記録再生装置内での処理方法について図１７、図１８を用いて説明する。
【０１８２】
図１７、図１８を参照して、オリジナルトラックの部分消去について、さらに詳しく説明する。
【０１８３】
ステップＳ２１ではディスクドライブ部４０９でディスク１００内の管理情報記録領域（ＲＴＲ＿ＡＭＧ）１３０の情報を読み取り、メインＭＰＵ部４０４内のワークＲＡＭ部内に一時記録する。
【０１８４】
ステップＳ２２では、ユーザがオリジナルトラック内の部分消去する範囲を指定（時間情報で指定）する。
【０１８５】
ステップＳ２３では、ユーザが指定したオリジナルトラックが含まれるオーディオオブジェクト情報に対して、ユーザが指定した部分消去範囲の前後でオーディオオブジェクトを２分割する。前半（部分消去個所の前）のオーディオオブジェクトに対しては既存のオーディオオブジェクト情報を使用し、不要なオーディオオブジェクトユニットエントリを削除処理する（メインＭＰＵ部４０４）が行う。同様に、後半（部分消去個所の後ろ）のオーディオオブジェクトに対しては新たに１個のオーディオオブジェクト情報を作成し、元のオーディオオブジェクトユニットエントリから該当する部分をコピーしてワークＲＡＭ部に記録する。
【０１８６】
ステップＳ２４では、オーディオオブジェクトが記録されているＡＲ＿ＡＵＤＩＯ．ＡＲＯ２２１ファイル内の部分消去範囲を消去する。
【０１８７】
図１７において、ユーザが部分消去範囲を時間情報で指定する（ステップＳ２２）と、対応して管理情報内容が変更され（ステップＳ２３）、ＡＲ＿ＡＵＤＩＯ．ＡＲＯ２２１内の該当個所が消去される（ステップＳ２４）。
【０１８８】
そして図１８のステップＳ２５では、該当するオリジナルトラックに関するプログラム情報内に記録された静止画像情報に関するディスプレイモード情報から、ユーザが指定した部分消去範囲内に表示していた静止画像を部分消去後に表示するか否かの判断を、メインＭＰＵ部４０４内で行う。
【０１８９】
該当する静止画像を部分消去後表示する場合には（ステップＳ２６でイエス）、部分消去後のオーディオトラックの表示時間を表示する性画像の枚数で割り、静止画像１枚あたりの表示時間を計算し、ワークＲＡＭ部内に一時記録されているスチルピクチャエントリポイント３１〜３９内の「静止画像を表示するタイミングの指定情報」の内容を変更する（ステップＳ２７）。
【０１９０】
逆に該当する静止画像を部分消去後表示しない場合には（ステップＳ２６でノー）、オリジナルセル情報３０１〜３０５内に記録されていた部分消去前のスチルピクチャエントリポイント３１〜３９の中からユーザが指定した部分消去範囲内に含まれるスチルピクチャエントリポイントの情報を削除する（ステップＳ２８）。
【０１９１】
次のステップＳ２９では、ワークＲＡＭ内に一時記録された管理情報をディスクドライブ部４０９を経由して情報記憶媒体内の管理情報記録領域１３０へ書き換える。
【０１９２】
ここで、部分消去対象範囲内に表示されていた静止画像の取り扱いが重大な問題となる。この部分消去後の静止画像の取り扱い方法として、
（Ａ）部分消去場ところによらず、部分消去前の静止画像全てを部分消去後の音声情報再生時に表示する（ステップＳ２７）
…この場合には図９の「静止画像を表示するタイミングの指定情報」を再計算して自動的に書き換える。
【０１９３】
（Ｂ）部分消去場所内のみに表示していた静止画像は部分消去後の再生時には表示しない（ステップＳ２８）。
【０１９４】
の２通りの方法をこの発明の実施の形態では選択している。
【０１９５】
このとき、部分消去場所内のみに表示していた静止画像（指定された一部の静止画像）を表示可能とするかの判定情報が管理情報内に事前に記録されており、その情報に基づき（Ａ）、（Ｂ）のいずれかを選択する（図１７、図１８のステップＳ２６）。ここに、この発明の実施の形態の編集方法における第１の特徴がある。
【０１９６】
上記判定情報はユーザが認識可能な情報になっていると言うところにこの発明の第２の特徴がある。ユーザが認識可能な状況であれば、（Ａ）、（Ｂ）のいずれを選択したかがユーザにも理解でき、ユーザの混乱を回避できる。ユーザが認識可能な上記判定情報としてこの発明では図６（ａ）にあるディスプレイモード７を利用している。
【０１９７】
すなわち、オリジナルトラック１のディスプレイモード７が“Slideshow＋Sequential”を表示している（その時のプログラム情報内の「該当するオーディオトラック内での静止画像の表示モード」も同じ情報が記録されている）場合にのみ、上記の（Ｂ）が選択され、それ以外の情報が記録されている場合には（Ａ）が選択される。
【０１９８】
ここで、プレイリスト内容の作成方法説明の前に、この発明の特徴である図６（ａ）（ｂ）に示した表示画面の作成方法について図１９を用いて説明する。
【０１９９】
初めに情報記憶媒体１００上に記録された管理情報記録領域１３０の情報を読み取り、一時的にメインＭＰＵ部４０４内のワークＲＡＭ部内に一時記録する（ステップＳ３１）。
【０２００】
最初に情報記憶媒体１００へ録画した順に再生手順が示されるオリジナルトラック１に関する管理内容はオリジナルプログラムチェーン情報１４４、または３２０内に記録されており、後述するようにオリジナルトラックに関する情報は特にプログラム情報＃１／３１１〜＃４／３１４内（図７の（ｈ）（ｇ））に記載されている。
【０２０１】
また先に説明したようにプレイリストのトラックに関する情報はユーザ定義ＰＧＣ情報テーブル１４５内のトラックヘッドエントリポイント１７１〜１７３内に記録されている。それらの情報を利用してメインＭＰＵ部４０４内でオリジナルトラック１に関するリスト画面を作成（ステップＳ３２）し、プレイリスト＃１（Play List）２に関する各トラックのリスト画面を個々に作成し（ステップＳ３３）、両者の画面を合成して（ステップＳ３４）表示する（ステップＳ３５）。
【０２０２】
次に、図１９を参照して、図６（ａ）（ｂ）で示したようなプレイリスト作成用表示画面の作成処理方法について説明する。
【０２０３】
ディスクドライブ部４０９でディスク内の管理情報記憶領域１３０の情報を読み取り、メインＭＰＵ部４０４内のワークＲＡＭ部内に一時記憶する（ステップＳ３１）。次にメインＭＰＵ部４０４は、一時記憶されているプログラム情報３１１〜３１４の情報内容からディスク１００に記録されているオリジナルトラックに関する情報を解釈し、オリジナルトラック１に関する表示画面内容を作成する（ステップＳ３２）。次にメインＭＰＵ部４０４は、一時記憶されているユーザ定義ＰＧＣ情報テーブル１４５を構成しているセル情報１６４〜１６９内のトラックヘッドエントリポイント１７１〜１７３の情報を用い、各プレイリスト毎のトラックに関する情報を抽出し、プレイリスト２に関する表示画面内容を作成する（ステップＳ３３）。
【０２０４】
次にステップＳ３２とステップＳ３３で作成した各表示画面を合成し、Ｖミキシング部へ転送する（ステップＳ３４）。そして、メインＭＰＵ部４０４内部で作成した表示画面をＤ／Ａ変換器４３６を経由させて表示部４０８で表示する。
【０２０５】
図２０、図２１を参照して、この発明におけるプレイリストの作成方法についてさらに説明する。
【０２０６】
管理情報記録領域１３０の情報を読み取り、メインＭＰＵ部４０４内のワークＲＡＭ部内に一時記録する（ステップＳ４１）。
【０２０７】
次に、図１９に示した方法でユーザに対して編集画面（オリジナルトラック１、プレイリストの画面）を表示し（ステップＳ４２）、ユーザにプレイリスト作成をしてもらう（ステップＳ４３）。ここでは、ユーザが画面を見ながら新たに作成するニュートラックとオリジナルトラックの関係を入力することになる。
【０２０８】
ディスプレイモードは最初に再生される元のオリジナルトラックで指定されたディスプレイモードに自動的に一致設定されるが、後からユーザが画面を見ながら変更することは可能である。同時にユーザに新しくプレイリスト上に作成したトラックに関する固有情報を入力してもらう（ステップＳ４４）。
【０２０９】
つまりこのステップでは、ユーザが表示画面を見ながら新たに作成するニュートラックに関する表示モード８（図６（ｂ））と、代表画像と、静止画設定条件（オリジナルの場合は、オリジナルトラックで設定した静止画像と同じものを表示させる、ニューリーセットの場合はユーザが新たに静止画像を指定する）を入力することになる。
【０２１０】
次に、図１４に示した情報記録再生装置のメインＭＰＵ部４０４内では、上記の入力情報に基づき、新しいセル情報の作成と、その中のトラックヘッドエントリポイント内の情報記録を行う（ステップＳ４５）。
【０２１１】
つまり、このステップでは、ワークＲＡＭ部内において、該当するユーザ定義ＰＧＣ情報１５６、１５７内に新たにセル情報１６４〜１６９を追加設定し、ユーザが設定した新しいトラック内の先頭に位置するセルに対するセル情報内に、トラックヘッドエントリポイント１７１〜１７３を追記する。
【０２１２】
次に、このトラックヘッドエントリポイント１７１〜１７３内にユーザが指定した表示モードと代表画像の指定情報と、代表音声の表示範囲を追記する（ステップＳ４６）。
【０２１３】
このステップＳ４６における代表音声の表示範囲としては、新しく作成したニュートラックの再生開始時間から特定の時間（例えば５秒間）までの時間が自動的に記録される。この時間範囲を変更したい場合は、編集処理時にユーザが代表音声の表示範囲を設定し直すことができる。
【０２１４】
この新しく作成したニュートラックに対して再生と同時に表示する静止画像をユーザが新たに設定し直す場合には（ステップＳ４７）、ユーザのキーイン結果に応じて図６（ｂ）のスチル１０が“オリジナル（Original）”から“ニューリーセット（Newly Set）”に変更されるとともにユーザに静止画像を選択してもらう（ステップＳ４８）。つまり新たに作成するニュートラックの表示と同時に表示する静止画像を既存のスチルピクチャＶＯＢグループ情報２７３〜２７９の中からユーザが選択することになる。
【０２１５】
もし、ユーザが、表示すべきスチルピクチャを新たに指定しないときは（ステップＳ４７のノー）、オリジナルトラック内の全てのスチルピクチャを表示すべきか否か決定する（ステップＳ４９）。オリジナルトラックの全てのスチルピクチャを表示すべきときは（ステップＳ４９のイエス）、処理は以下の（Ａ）に移行する。もしオリジナルトラックの全てのスチルピクチャを表示するのでなければ（ステップＳ４９のノー）、処理は以下の（Ｂ）に移行する。
【０２１６】
プレイリスト作成時の静止画像（スチルピクチャ）の設定方法として、以下の（Ａ）および（Ｂ）の２通りの方法を、この発明の実施の形態では選択している。
【０２１７】
（Ａ）ユーザによるオリジナルトラック内の指定場所によらず、関係するオリジナルトラックが持っていた静止画像全てをプレイリスト内の新しいトラックの再生時に表示する（ステップＳ５１）。
【０２１８】
…例えば３個のオリジナルトラックから新しいトラックを作成した場合には、３個のオリジナルトラックを再生するときに表示する全ての静止画像を新しいトラックを再生するときに表示する。
【０２１９】
（Ｂ）新しいプレイリストを作成するために引用されたオリジナルトラック内の指定場所を再生するときに表示される静止画像のみを新しいトラックの再生時に表示する（ステップＳ５０）。
【０２２０】
この時、どちらの方法を採用するかの判定情報が、管理情報内に事前に記録されている。その判定情報に基づき（Ａ）、（Ｂ）のいずれかを選択する（図２０、図２１のステップＳ４９）ところに、この発明の編集方法における第１の特徴がある。
【０２２１】
また、上記判定情報が、ユーザ認識可能な情報になっているところに、この発明の第２の特徴がある。ユーザが認識可能な状況であれば、（Ａ）、（Ｂ）のいずれを選択したかがユーザにも理解でき、ユーザの混乱を回避できる。
【０２２２】
ユーザが認識可能な上記判定情報としてこの発明では図６（ａ）にあるディスプレイモード７を利用している。すなわち新しいトラックを再生するときに最初に再生する音声情報を引用したオリジナルトラック１（例えば図６（ａ）（ｂ）の例ではニュートラックＮｏ．１ではオリジナルトラックの“Automatic”を意味し、ニュートラックＮｏ．３ではオリジナルトラックの“First Love”を意味している）のディスプレイモード７が“Slideshow＋Sequential”を表示している（その時のプログラム情報内の「該当するオーディオトラック内での静止画像の表示モード」も同じ情報が記録されている）場合にのみ上記の（Ｂ）を選択し、それ以外の情報が記録されている場合には（Ａ）を選択する。
【０２２３】
ステップＳ５０またはＳ５１の処理後、メインＭＰＵ部４０４は、対応する新トラックの表示時間を、その新トラック内で表示するスチルピクチャの枚数で割り、スチルピクチャ１枚当たりの表示時間を算出する（ステップＳ５２）。算出された値は、スチルピクチャエントリポイント２１〜２６およびトラックエントリポイント１７１〜１７３内の“スチルピクチャの表示時間指定情報”に記録される。これらのエントリポイントはＭＰＵ部４０４のワークＲＡＭ内に、一時的に記録される。
【０２２４】
そして、ワークＲＡＭに一時記録された管理情報が、ドライブ４０９を介して、ディスク１００の管理情報記録領域１３０内に書き換えられる。
【０２２５】
また図２０、図２１では図示してないが、「静止画像を表示するタイミングの指定情報」の設定（ステップＳ５２）直後に、新しく作成したトラックに対応するトラックヘッドエントリポイント内に記録する「該当するオーディオトラック固有のテキスト情報」と「付加説明用テキスト情報」は新しいトラックを再生するときに最初に再生する音声情報を引用したオリジナルトラック１内の情報が自動転記され、必要に応じてユーザのキーイン操作によるテキスト情報の書き換えが行われる（ステップＳ５３）。
【０２２６】
図２２、図２３には、映像情報を音声情報と同時に表示する静止画像情報として利用する場合の処理手順を示している。
【０２２７】
管理情報記憶領域１３０の情報を読み取り、メインＭＰＵ部４０４内のワークＲＡＭ部内に一時記録する（図２２のステップＳ６１）。次に、図１９で示した方法で、オリジナルトラック１とプレイリストの画面を表示する（ステップＳ６２）。ユーザが表示画面を見ながら映像情報から抽出した静止画情報を同時に表示させるトラックを指定する（ステップＳ６３）。
【０２２８】
次にユーザは、表示画面を見ながら映像情報（ムービーオブジェクトの情報が記録されたＶＲ＿ＭＯＶＩＥ．ＶＲＯ２１２ファイル内の映像情報）の中から静止画情報として抽出したい場面を指定する（ステップＳ６４）。
【０２２９】
このステップで指定された画面情報は、静止画像として抽出され、その静止画像はＶ＿ＰＲＯ部４３８からビデオミキシング部４０５を経由してディスクドライブ部４０９から情報記憶媒体１００上のスチルピクチャオブジェクトファイルであるＡＲ＿ＳＴＩＬＬ．ＡＲＯ２１３の一部として記録される（ステップＳ６５）。
【０２３０】
次に、このステップで抽出されてディスクに記録された静止画像に対応して、メインＭＰＵ部４０４内のワークＲＡＭ部内に新たなスチルピクチャＶＯＢグループ情報＃ｇ／２７９と、スチルピクチャＶＯＢエントリ＃１／２９８、＃２／２９９の情報が記録される（図２３のステップＳ６６）。
【０２３１】
次にステップＳ６３内でユーザが指定したトラックに対応するセル情報＃４／１６７内のトラックヘッドエントリポイント＃２／１７２と、スチルピクチャエントリポイント２４で指定する静止画情報をステップＳ６６で作成したスチルピクチャＶＯＢエントリ＃１／２９８、＃２／２９９に変更する（ステップＳ６７）。
【０２３２】
次に該当するトラックの表示時間をトラック内で表示する静止画像の枚数で割り、静止画像１枚あたりの表示時間を計算し、その結果をワークＲＡＭ部内に一時記憶されているスチルピクチャエントリポイント２４と、トラックヘッドエントリポイント１７２内の「静止画像を表示するタイミングの指定情報」内に記録する（ステップＳ６８）。
【０２３３】
そして、メインＭＰＵ部４０４内のワークＲＡＭ部内に一時記録された管理情報をディスクドライブ部４０９を経由して管理情報記録領域１３０へ書き換える（ステップＳ６９）。
【０２３４】
図１０（ｈ）に示すように映像情報（ムービーオブジェクト）が記録されたＶＲ＿ＭＯＶＩＥ．ＶＲＯ２１２ファイル内の任意の映像画面を音声情報再生時に同時に表示する静止画像として活用できるところに、この発明の実施の形態の特徴がある。その具体的方法について図１０と図２２、図２３を用いて説明する。
【０２３５】
まず情報記憶媒体１００上に記録されたオーディオトラックの一覧表をユーザに対して図６（ａ）（ｂ）に示すように表示し、静止画像を設定したいトラックをユーザに指定してもらう（ステップＳ６３）。次にＶＲ＿ＭＯＶＩＥ．ＶＲＯ２１２ファイル内に記録された映像情報を表示しながらユーザに希望の画面（場面）を指定してもらう（ステップＳ６４）。ユーザが指定した画面（場面）は図１４内のデコーダ部４０２内で既にデコードされているので、その画像情報がそのまま静止画像（Ｉピクチャ）として情報記憶媒体１００上のＡＲ＿ＳＴＩＬＬ．ＡＲＯ２１３ファイル内に記録される（ステップＳ６５）とともにそれに関する管理情報が作成される（ステップＳ６６）。そこで作成した静止画像と音声情報間の表示関係情報がトラックヘッドエントリポイント＃２／１７２またはスチルピクチャエントリポイント２４に記録される。
【０２３６】
一般のユーザは希望する画面（場面）は設定するが、表示タイミングまでは設定しない場合が多い。従って図１４に示した情報記録再生装置内のメインＭＰＵ部４０４内で自動的に「静止画像を表示するタイミングの指定情報」（図９）の値を設定する（図２２、図２３のステップＳ６８）ところに、この発明における情報記録再生装置の特徴がある。
【０２３７】
具体的には
〔静止画像１枚当たりの表示時間〕＝〔該当するオーディオトラックの再生時間〕÷〔該当するオーディオトラック内で表示する静止画像枚数〕
として自動計算する。
【０２３８】
オリジナルトラックの情報を管理するオリジナルＰＧＣ３２０においては図９に示すオリジナルトラックに関する情報はプログラム情報＃１／３１１〜＃４／３１４内に記録されている。
【０２３９】
図２４、図２５を用いて、上記の方法で情報記憶媒体１００に記録した音声関連情報の再生方法について説明する。
【０２４０】
管理情報記録領域１３０の情報を読み取り、メインＭＰＵ部４０４内のワークＲＡＭ部内に一時記憶する（ステップＳ７１）。次に、ワークＲＡＭ部内に一時記録されたプログラム情報３１１〜３１４の情報から、情報記憶媒体に記録されているオリジナルトラックに関する情報を解釈し、オリジナルトラック１に関する表示画面内容を作成する（ステップＳ７２）。
【０２４１】
次に、ワークＲＡＭ部内に一時記録されたユーザ定義ＰＧＣ情報テーブル１４５を構成するセル情報１６４〜１６９内のトラックヘッドエントリポイント１７１〜１７３の情報から各プレイリスト毎のトラックに関する情報を抽出し、プレイリスト２に関する表示画面内容を作成する（ステップＳ７３）。
【０２４２】
次に、図２４のステップＳ７２、Ｓ７３で作成した表示画面を合成し、Ｖミキシング部へ転送する（ステップＳ７４）。さらに表示画面をＤ／Ａ変換器４３６を経由させて表示部４０８で表示する（ステップＳ７５）。
【０２４３】
図１９の方法で図６（ａ）（ｂ）に示した画面を表示し、ユーザに再生対象のトラックを指定してもらう（ステップＳ７６）。
【０２４４】
図２５のステップＳ７７では、具体的には、トラックヘッドエントリポイント１７１〜１７３、またはプログラム情報３１１〜３１４内の「該当するオーディオトラックの内容を示す代表音声の表示範囲を指定する情報」から代表音声の再生開始時間と再生終了時間を読み取る。
【０２４５】
またステップＳ７８では、オーディオオブジェクト情報１９６〜１９７内のオーディオオブジェクトユニットエントリ２４１〜２４８の情報を用いて代表音声の情報が記録されているＡＲ＿ＡＵＤＩＯ．ＡＲＯ２２１内の再生開始アドレスと再生終了アドレスを算出する。
【０２４６】
そしてステップＳ７９では、所定アドレス範囲が再生され、音声出力されるが、ユーザはその代表音声を聞いて自分が聞きたいオーディオトラックであるか否かを判断する。確認の後は、再生範囲を指定して再生ボタンを押す（ステップＳ８０）。
【０２４７】
またワークＲＡＭ部内に一時記憶された管理情報からユーザが指定したトラック範囲がオリジナルＰＧＣ情報１４４内あるいはユーザ定義ＰＧＣ情報１５６、１５７内のどの範囲に該当する判別する（ステップＳ８１）。
【０２４８】
そして、オリジナルＰＧＣ情報１４４内あるいはユーザ定義ＰＧＣ情報１５６、１５７内のプログラム情報３１１〜３１４の配列順またはセル情報１６４〜１６９の配列順に従ってディスクからオブジェクト情報をトラック単位毎に再生し、トラック単位毎に出力表示する（ステップＳ８２）。
【０２４９】
図２４、図２５の方法によれば、ユーザは、聞きたい曲を選定する前に代表音声を聞くことでそれが本当にユーザが聞きたい曲か否かを事前確認できる。すなわち確認したいオーディオトラックを指定し、代表音声の再生ボタンをユーザが押すと、メインＭＰＵ部４０４内で「該当するオーディオトラックの再生内容を示す代表音声の表示範囲を指定する情報」から（ステップＳ７７）、オーディオオブジェクトユニットエントリ（ＡＯＢＵ＿ＥＮＴ）＃１／２４１〜＃ｈ／２４８を利用して、ＡＲ＿ＡＵＤＩＯ．ＡＲＯ２２１内のアクセスすべきアドレスを算出（ステップＳ７８）し、音声情報を情報記憶媒体から再生し、表示する（ステップＳ７９）。
【０２５０】
このように、この発明の実施の形態では、情報記録再生装置内のメインＭＰＵ部４０４でユーザが設定した範囲は各オブジェクトファイル内のどの部分に対応するかを判別し（ステップＳ７７）、その結果に基づき再生・表示する。このとき、オリジナルプログラムチェーン情報１４４内あるいはユーザ定義ＰＧＣ情報１５６、１５７内に存在するプログラム情報３１１〜３１４の配列順またはセル情報１６４〜１６９の配置順に従って、情報記憶媒体１００からオブジェクト情報をトラック単位毎に再生する。ここに、この発明の実施の形態の特徴がある。
【０２５１】
上記したこの発明の実施の形態で実行された要点をまとめると、次のようになる。
【０２５２】
ＰＧＣＩ内にオーディオトラックの切れ目情報を記録する。トラック切れ目情報内にテキスト情報とトラックの代表画像を持たせる。オリジナルトラック毎にプログラム情報が記録される。
【０２５３】
またセル情報内のトラックヘッドエントリポイントでトラックの切れ目を表す。ＰＧＣＩ内に記述されたプログラム情報/セル情報の配列順に従ってトラック毎に再生する。ユーザが指定した静止画像に合わせてそれぞれの表示タイミングを自動算出する。オリジナルリストとプレイリストを同時に画面上に表示する表示方法（ＲＴＲの適応も目指す）。
【０２５４】
さらにまた、オリジナルトラックの情報を用い、プレイリスト上でのトラックを作成する編集方法；オリジナルトラックの持つどの静止画像をプレイリストのトラックに貼り付けるか決める；部分消去後にどの静止画像を残して表示するかを決める；ムービーオブジェクトの任意画面を静止画像に抽出し、オーディオオブジェクトと同時表示する編集方法；などを揚げることができる。
【０２５５】
図２６は、リアルタイム記録オーディオマネージャ（図１（ｄ）のＲＴＲ＿ＡＭＧ１３０）の一部（図１（ｅ）のＵＤ＿ＰＧＣＩＴ１４５）のデータ構造を例示している。
【０２５６】
図２６に示すように、リアルタイム記録（ＲＴＲ）オーディオマネージャＲＴＲ＿ＡＭＧ（図１（ｄ）の１３０）は、ＲＴＲオーディオマネージャ情報ＲＴＲ＿ＡＭＧＩと、オーディオファイル情報テーブルＡＵＤＦＩＴと、オーディオスチルビデオファイル情報テーブルＡＳＶＦＩＴと、オリジナルプログラムチェーン情報ＯＲＧ＿ＰＧＣＩ（図１（ｅ）の１４４）と、ユーザ定義ＰＧＣ情報テーブルＵＤ＿ＰＧＣＩＴ（図１（ｅ）の１４５）と、テキストデータマネージャＴＸＴＤＴ＿ＭＧ（図１（ｅ）の１４６）と、製造業者情報テーブルＭＮＦＩＴ（図１（ｅ）の１４７）とで構成されている。
【０２５７】
ユーザ定義ＰＧＣ情報テーブルＵＤ＿ＰＧＣＩＴは、ユーザ定義ＰＧＣ情報テーブル情報ＵＤ＿ＰＧＣＩＴＩ（図１（ｆ）の１５０）と、１以上のユーザ定義ＰＧＣ情報サーチポインタＵＤ＿ＰＧＣＩ＿ＳＲＰ＃１〜＃ｎ（図１（ｆ）の１５１〜１５２）と、１以上のユーザ定義ＰＧＣ情報ＵＤ＿ＰＧＣＩ＃１〜＃ｎ（図１（ｆ）の１５６〜１５７）とを含んでいる。
【０２５８】
ＰＧＣ情報には、２種類ある。第１はＯＲＧ＿ＰＧＣＩにより管理されるオリジナルＰＧＣであり、第２はＵＤ＿ＰＧＣＩＴにより管理される１以上のユーザ定義ＰＧＣである。
【０２５９】
オリジナルＰＧＣは、最初に（オリジナルなものとして）記録された内容（セル）の再生手順を記述している。ユーザ定義ＰＧＣは、セル（最初に記録された内容）の再生の順序をユーザが自由に変更（あるいは修正）することで得られる再生手順を記述したものである。
【０２６０】
図２７は、図２６のリアルタイム記録オーディオマネージャ（ＲＴＲ＿ＡＭＧ）に含まれるプログラムチェーン情報（ＰＧＣ情報）のデータ構造を例示している。
【０２６１】
図２７に示すように、ＰＧＣ情報（ＯＲＧ＿ＰＧＣＩまたは１つのＵＤ＿ＰＧＣＩ）＃ｉは、ＰＧＣ一般情報ＰＧＣ＿ＧＩ（図１（ｇ）の１６０；図４８参照）と、１以上のプログラム情報ＰＧＩ＃１〜＃ｎ（図１２（ｄ）の３１１〜３１３；図４９参照）と、１以上のセル情報サーチポインタＣＩ＿ＳＲＰ＃１〜＃ｎ（図１（ｇ）の１６１〜１６２）と、１以上のセル情報ＣＩ＃１〜＃ｎ（図１（ｇ）または図７（ｄ）の１６４〜１６９）とを含んでいる。
【０２６２】
各セル情報ＣＩは、セル一般情報Ｃ＿ＧＩおよび１以上のセルエントリポイント情報Ｃ＿ＥＰＩ＃１〜＃ｎ（図１（ｈ）の１７１〜１７３、または図７（ｃ）のエントリポイント）を含んでいる。
【０２６３】
図示しないが、セル一般情報Ｃ＿ＧＩは、以下の情報項目を含んでいる：
（１）該当セルの形式を記述したＣ＿ＴＹ（例えばオーディオセルに対しては“０１０ｂ”がＣ＿ＴＹ１に記述される）；
（２）該当セルの再生情報（例えばダイナミックレンジ制御のオン・オフ情報およびダイナミックレンジ制御値）を記述したＰＢ＿ＩＮＦ；
（３）該当セルの対応ＡＯＢに対するＡＯＢＩサーチポインタ番号を記述したＡＯＢＩ＿ＳＲＰＮ；
（４）該当セルの対応ＡＳＶＵに対するＡＳＶＵＩサーチポインタ番号を記述したＡＳＶＵＩ＿ＳＲＰＮ；
（５）該当セルに対応するＡＳＶＵの表示タイミングモード（ディスプレイタイミングモード）および表示順序モード（ディスプレイオーダモード）を記述したＡＳＶ＿ＤＭＤ；
（６）セルエントリポイントＣ＿ＥＰＩの番号を記述したＣ＿ＥＰＩ＿Ｎｓ；
（７）該当セルの再生開始時間を記述したＣ＿Ａ＿Ｓ＿ＰＴＭ；
（８）該当セルの再生終了時間を記述したＣ＿Ａ＿Ｅ＿ＰＴＭ。
【０２６４】
図２８の（ａ）および（ｂ）は、それぞれ、オリジナルＰＧＣおよびユーザ定義ＰＧＣにおけるエントリポイントの例を示している。
【０２６５】
図２８（ａ）はオリジナルＰＧＣ内のエントリポイントを例示するもので、ここでは３つのプログラムＰＧ＃１〜＃３が示され、各プログラムが持つセルは１つだけとなっている。ＰＧ＃１のセルに対しては、合計７つのエントリポイントが例示されている。ＰＧ＃１に対する３つのエントリポイント（１）〜（３）はインデックス用であり、他の４つのエントリポイント［１］〜［４］はディスプレイリスト用である。
【０２６６】
ＰＧ＃１〜ＰＧ＃３のインデックス用エントリポイントはＰＧ＃１〜ＰＧ＃３の角枠上の矢印で示され、これらのエントリポイントを示すインデックス番号は丸で囲まれた番号で示されている。すなわち、インデックス用エントリポイントは、付加情報としてインデックス番号の値を含んでいる。
【０２６７】
ＰＧ＃１〜ＰＧ＃３の角枠下の矢印は、ディスプレイリストのエントリポイントを示している。オーディオデータとともに再生されるオーディオスチルビデオ（ＡＳＶ）があるときは、該当トラックは、一緒に再生されるべきオーディオスチルビデオを含むところのオーディオスチルビデオユニット（ＡＳＶＵ）の番号に関する情報を持つ。各エントリポイントは、指定されたＡＳＶＵ内のオーディオスチルビデオオブジェクト（ＡＳＶＯＢ）の数に関する情報を持つ。指定されたＡＳＶＯＢはエントリポイントのタイミングで再生される。
【０２６８】
図２８（ａ）は、スライドショー／シーケンシャルモードの例を示している。スライドショー／ランダムまたはシャッフルの場合は、各エントリポイントはＡＳＶＯＢの番号に関する情報は持たない。なぜならば、再生されるべきＡＳＶＯＢの番号がランダムにあるいはシャッフルされて決定されるからである。該当トラックのＡＳＶディスプレイモードがブラウザブルモードのときは、オーディオスチルビデオ（ＡＳＶ）に対するエントリポイントのタイミング情報は、全てゼロに設定される。というのも、ブラウザブルモードのときはユーザは任意のタイミングで次または前のオーディオスチルビデオにスキップすることができるからで、所定のタイミング情報は必要とされないからである。
【０２６９】
図２８（ｂ）は、ユーザ定義ＰＧＣ内のエントリポイントを例示している。ユーザ定義ＰＧＣの場合、そのＰＧＣはプログラム（ＰＧ）構造は持たず、セル構造だけを持つ。このため、ユーザ定義トラックはプログラム（ＰＧ）構造により実現されない。そこで、ユーザ定義ＰＧＣの場合では、ユーザ定義トラック用に新たなエントリポイント＜Ｔ＞が導入される。
【０２７０】
図２８（ｂ）には、３つのセル（セル＃１〜セル＃３）が例示されている。図示されたセル＃１およびセル＃２は、ユーザ定義トラック用に新たなエントリポイント＜Ｔ＞を持っている。図２８（ｂ）の例では、セル＃１は１つのユーザ定義トラックに対応し、セル＃２およびセル＃３は他のユーザ定義トラックに対応している。ユーザ定義トラック用のエントリポイントは、該当セルの開始点に設定される。
【０２７１】
インデックス用のエントリポイントおよびディスプレイリスト用のエントリポイントに関しては、オリジナルＰＧＣの場合（図２８（ａ））と同様である。
【０２７２】
なお、図２８中において、下向き矢印が付いた番号（１〜５）または文字（Ｔ）は図７（ｃ）のトラックヘッドエントリポイントに対応し、上向き矢印が付いた番号（１〜４）は図７（ｃ）のスチルピクチャエントリポイントに対応している。
【０２７３】
図２９は、セルエントリポイント情報（タイプＡ１のＣ＿ＥＰＩ；図２７または図１（ｈ）のＣ＿ＥＰＩ＃参照）の内容を例示している。
【０２７４】
図２９に示すように、タイプＡ１のＣ＿ＥＰＩは、以下の情報項目を含んでいる：
（１）エントリポイントの形式を記述したＥＰ＿ＴＹ（このＥＰ＿ＴＹはＥＰ＿ＴＹ１とＥＰ＿ＴＹ２とで構成される。タイプＡ１は、ＥＰ＿ＴＹ１＝“０１ｂ”とＥＰ＿ＴＹ２＝“００ｂ”との組み合わせで指定される。）；
（２）エントリポイントの再生時間を記述したＥＰ＿ＰＴＭ（このＥＰ＿ＰＴＭの全バイトは“００ｈ”に設定される。）；
（３）エントリポイントのプライマリテキスト情報を記述したＰＲＭ＿ＴＸＴ（ＰＲＭ＿ＴＸＴは２つのサブフィールドに分割される：最初の６４バイトフィールドは例えばＡＳＣＩＩ文字セットでプライマリテキストを記述するのに用いられ、最後の６４バイトフィールドは図２６その他に示されるＲＴＲ＿ＡＭＧＩ内で定義された文字セットでプライマリテキストを記述するのに用いられる）；
（４）テキストデータがエントリポイントに対応しているところのアイテムテキストＩＴ＿ＴＸＴのサーチポインタ情報（サーチポインタ番号）を記述したＩＴ＿ＴＸＴ＿ＳＲＰＮ；
（５）代表画像情報を記述したＲＥＰ＿ＰＩＣＴＩ（図５０参照）。
【０２７５】
なお、タイプＡ１のＥＰ＿ＴＹは、図９に示したテーブルの情報内容の第１パラグラフに記述されたＥＰ＿ＴＹに対応している。
【０２７６】
また、タイプＡ１のＥＰ＿ＰＴＭは、図９に示したテーブルの情報内容の第８パラグラフに記述されたＥＰ＿ＰＴＭに対応している。
【０２７７】
また、タイプＡ１のＰＲＭ＿ＴＸＴは、図９に示したテーブルの情報内容の第５パラグラフに記述されたＰＲＭ＿ＴＸＴＩに対応している。
【０２７８】
また、タイプＡ１のＩＴ＿ＴＸＴ＿ＳＲＰＮは、図９に示したテーブルの情報内容の第６パラグラフに記述されたＩＴ＿ＴＸＴ＿ＳＲＰＮに対応している。
【０２７９】
さらに、タイプＡ１のＲＥＰ＿ＰＩＣＴＩは、図９に示したテーブルの情報内容の第３パラグラフに記述されたＲＥＰ＿ＰＩＣＴＩに対応している。
【０２８０】
図３０は、リアルタイム記録オーディオマネージャ（図３（ｄ）のＲＴＲ＿ＡＭＧ１３０）の他部（図３（ｅ）のＡＵＤＦＩＴ１４３）のデータ構造を例示している。
【０２８１】
図３０に示すように、ＲＴＲ＿ＡＭＧ内のオーディオファイル情報テーブルＡＵＤＦＩＴは、オーディオファイル情報テーブル情報ＡＵＤＦＩＴＩ（図３（ｆ）の１８０）と、１以上のオーディオストリーム情報ＡＵＤ＿ＳＴＩ＃１〜＃ｎ（図３（ｆ）の１８１〜１８２）と、１以上のダウンミックス係数情報ＤＭ＿ＣＯＥＦＩ＃１〜＃ｎと、オーディオファイル情報ＡＵＤＦＩ（図３（ｆ）の１８４）とを含んでいる。
【０２８２】
図示しないが、ＡＵＤＩＦＩＴＩは、以下の情報項目を含んでいる：
（１）オーディオファイル情報ＡＵＤＦＩの数を記述したＡＵＤＦＩ＿Ｎｓ；
（２）オーディオストリーム情報ＡＵＤ＿ＳＴＩの数を記述したＡＵＤ＿ＳＴＩ＿Ｎｓ；
（３）ダウンミックス係数情報ＤＭ＿ＣＯＥＦＩの数を記述したＤＭ＿ＣＯＥＦＩ＿Ｎｓ；
（４）ＡＵＤＦＩＴの先頭バイトからの相対バイト数でオーディオファイル情報テーブルＡＵＤＦＩＴの終了アドレスを記述したＡＵＤＦＩＴ＿ＥＡ。
【０２８３】
なお、ＡＵＤＦＩ＿Ｎｓはオーディオファイル（図２のＡＲ＿ＡＵＤＩＯ．ＡＲＯ２２１）の数を示しているが、オーディオファイルの最大数は“１”なので、ＡＵＤＦＩ＿Ｎｓの値は“０”または“１”となる。また、ＡＵＤ＿ＳＴＩ＿Ｎｓの最大数は“６４”であり、ＤＭ＿ＣＯＥＦＩ＿Ｎｓの最大数は“１６”となっている。
【０２８４】
図示しないが、各ＡＵＤ＿ＳＴＩは、以下の情報項目を含んでいる：
（ａ）ＡＵＤ＿ＳＴＩを参照するＡＯＢのオーディオ属性を記述したＡ＿ＡＲＴ；
（ｂ）ＡＵＤ＿ＳＴＩを参照するＡＯＢに含まれるリアルタイムテキストデータＲＴ＿ＴＸＴＤＴのテキスト属性（例えばＡＳＣＩＩテキストなど）を記述したＴＸＴ＿ＡＲＴ。
【０２８５】
上記Ａ＿ＡＲＴは、以下の情報項目を含んでいる：
（ａ１）リニアＰＣＭモード、パックドＰＣＭモード（ロスレス圧縮モード）などを示すオーディオコーディングモード；
（ａ２）リニアＰＣＭオーディオまたはパックドＰＣＭオーディオのソースデータが属するチャネルグループ１（ＣＨ＿ＧＲ１）の量子化ワード長（１６ビット、２０ビット、２４ビットなど）を記述したＣＨ＿ＧＲ１のＱ；
（ａ３）リニアＰＣＭオーディオまたはパックドＰＣＭオーディオのソースデータが属するチャネルグループ２（ＣＨ＿ＧＲ２）の量子化ワード長（１６ビット、２０ビット、２４ビットなど）を記述したＣＨ＿ＧＲ２のＱ；
（ａ４）リニアＰＣＭオーディオまたはパックドＰＣＭオーディオのソースデータが属するチャネルグループ１（ＣＨ＿ＧＲ１）の標本化周波数（４８ｋＨｚ、９６ｋＨｚ、１９２ｋＨｚ、４４．１ｋＨｚ、８８．２ｋＨｚ、１７６．４ｋＨｚなど）を記述したＣＨ＿ＧＲ１のｆｓ；
（ａ５）リニアＰＣＭオーディオまたはパックドＰＣＭオーディオのソースデータが属するチャネルグループ２（ＣＨ＿ＧＲ２）の標本化周波数（４８ｋＨｚ、９６ｋＨｚ、１９２ｋＨｚ、４４．１ｋＨｚ、８８．２ｋＨｚ、１７６．４ｋＨｚなど）を記述したＣＨ＿ＧＲ２のｆｓ；
（ａ６）リニアＰＣＭオーディオまたはパックドＰＣＭオーディオのソースデータが属するものであって、以下のものに関係したマルチチャネルソースの形式を記述したマルチチャネルタイプ：
＊チャネル数を含めたチャネル割り当て；
＊ダウンミックス方法（リニアＰＣＭの場合のみ）；
（ａ７）ＡＯＢ内のリニアＰＣＭオーディオデータまたはパックドＰＣＭオーディオデータに属する各チャネルの割り当てを記述したチャネルアサイメント。
【０２８６】
上記リアルタイムテキストデータ（ＲＴ＿ＴＸＴＤＴ）は、たとえば図１（ｄ）のＡＲリアルタイムテキストオブジェクト記録領域１３４に記録することができる。
【０２８７】
図示しないが、ダウンミックス係数情報ＤＭ＿ＣＯＥＦＩは、ダウンミックス係数テーブルＤＭ＿ＣＯＥＦＴを含んでいる。このＤＭ＿ＣＯＥＦＴの内容は、マルチチャネルのリニアＰＣＭオーディオデータを２チャネルにダウンミックスする際の係数を決定するときに利用できる。この情報は、オーディオデータがリニアＰＣＭでコーディングされているときにのみ利用される。
【０２８８】
なお、同じＤＭ＿ＣＯＥＦＩを複数のＡＯＢで共有するようにしてもよい。
【０２８９】
図３０に示すように、オーディオファイル情報ＡＵＤＦＩは、オーディオファイル情報一般情報ＡＵＤＦＩ＿ＧＩ（図３（ｇ）の１９０）と、１以上のオーディオオブジェクト情報サーチポインタＡＯＢＩ＿ＳＲＰ＃１〜＃ｎ（図３（ｇ）の１９１〜１９２）と、１以上のオーディオオブジェクト情報ＡＯＢＩ＃１〜＃ｎ（図３（ｇ）の１９６〜１９７）とを含んでいる。
【０２９０】
図示しないが、ＡＵＤＦＩ＿ＧＩは、ＡＯＢＩサーチポインタＡＯＢＩ＿ＳＲＰの数を記述したポインタ数情報ＡＯＢＩ＿ＳＲＰ＿Ｎｓを含んでいる。なお、オーディオファイル内におけるオーディオオブジェクトＡＯＢの最大数および最小数は、それぞれ、“１”および“９９９”となっている。
【０２９１】
サーチポインタＡＯＢＩ＿ＳＲＰは、ＡＵＤＦＩＴの先頭バイトからの相対ブロック数でＡＯＢＩの開始アドレスを記述したＡＯＢＩ＿ＳＡを含んでいる。
【０２９２】
各オーディオオブジェクト情報ＡＯＢＩは、ＡＯＢ一般情報ＡＯＢ＿ＧＩおよびＡＯＢユニット情報ＡＯＢＵＩを含んでいる。
【０２９３】
図示しないが、ＡＯＢ＿ＧＩは、以下の情報項目を含んでいる：
（１）ＡＯＢのタイプを記述するもので、一時消去フラグＴＥを含んだＡＯＢ＿ＴＹ（ＴＥ＝“０ｂ”は該当ＡＯＢが通常状態にあり、ＴＥ＝“１ｂ”は該当ＡＯＢが仮消去状態にあることを示す。仮消去状態にあるＡＯＢは、ユーザ定義ＰＧＣ内のセルにより参照されることはない。また、仮消去状態にあるＡＯＢは、トラック再生などの通常再生動作において再生されることもない。）；
（２）該当ＡＯＢの内容（ＡＵＤ＿ＳＴＩの番号ＡＵＤ＿ＳＴＩＮ、ＣＨ＿ＧＲ２のビットシフト、ステレオ再生モード、ＤＭＣＯＥＦＩの番号ＤＭＣＯＥＦＩＮ、ＤＭＣＯＥＦＩＮが有効であるかどうかを記述したＤＭＣＯＥＦＩＮバリディティなど）を記述したＡＯＢ＿ＣＮＴ；
（３）該当ＡＯＢの記録時間（そのＡＯＢのオーディオデータの先頭が記録されたときの時間）を記述したＡＯＢ＿ＲＥＣ＿ＴＭ；
（４）ＡＯＢ＿ＲＥＣ＿ＴＭ用のサブセコンド（１秒以下）を記述したＡＯＢ＿ＲＥＣ＿ＴＭ＿ＳＵＢ；
（５）該当ＡＯＢの最初のオーディオフレームの再生開始時間（再生タイムスタンプＰＴＳで符号化される）を記述したＡＯＢ＿Ａ＿Ｓ＿ＰＴＭ（そのＡＯＢにＰＴＳがないときは、再生開始時間はＭＰＥＧ規格に則って算出される）；
（６）該当ＡＯＢの最終オーディオフレームの再生終了時間を記述したＡＯＢ＿Ａ＿Ｅ＿ＰＴＭ。
【０２９４】
図３０に示すように、ＡＯＢＵＩは、オーディオオブジェクトユニット一般情報ＡＯＢＵ＿ＧＩと、１以上のＡＯＢＵエントリＡＯＢＵ＿ＥＮＴ＃１〜＃ｎ（図３（ｈ）の２４１〜２４８）とを含んでいる。
【０２９５】
図示しないが、ＡＯＢＵ＿ＧＩ（図３（ｈ）の２４０にも対応）は、以下の情報項目を含んでいる：
（１）１つのＡＯＢＵの再生時間を記述したＡＯＢＵ＿ＰＢ＿ＴＭ；
（２）ＡＯＢＵのサイズを記述したＡＯＢＵ＿ＳＺ（このサイズはＡＯＢＵ内のデータパック数で指定される）；
（３）該当ＡＯＢ内の最終ＡＯＢＵの再生時間を記述したＬ＿ＡＯＢＵ＿ＰＢ＿ＴＭ；
（４）該当ＡＯＢ内の最終ＡＯＢＵのサイズを記述したＬ＿ＡＯＢＵ＿ＳＺ；
（５）ＡＯＢＵＩ内のＡＯＢＵエントリの数を記述したＡＯＢＵ＿ＥＮＴ＿Ｎｓ；
（６）ＡＲ＿ＡＵＤＩＯ．ＡＲＯファイル（図２の２２１）の先頭論理ブロックからの相対論理ブロック数で該当ＡＯＢの開始アドレスを記述したＡＯＢ＿ＳＡ。
【０２９６】
なお、ＡＯＢＵの再生時間は１秒以下であるため、ＡＯＢＵ＿ＰＢ＿ＴＭは、ＡＯＢＵ再生時間の１秒からの不足分を記述するようになっている。
【０２９７】
図３１は、図３０のＡＯＢＵ＿ＥＮＴ＃ｎ（ｎは整数）あるいは図３（ｈ）の２４１〜２４８に対応したオーディオオブジェクトユニットエントリ（ＡＯＢＵ＿ＥＮＴ）の内容を例示している。
【０２９８】
図３１に示すように、各ＡＯＢＵ＿ＥＮＴは、該当ＡＯＢＵのサイズを記述したＡＯＢＵ＿ＳＺを含んでいる。このＡＯＢＵサイズは、該当ＡＯＢＵ内のデータパック数で指定できるようになっている。各パックが２０４８バイト（あるいは２ｋバイト）であれば、ＡＯＢＵのサイズは２０４８バイト（あるいは２ｋバイト）の整数倍になる。
【０２９９】
図３２は、オーディオオブジェクトユニットＡＯＢＵの内容（オーディオフレーム）を再生するためのＡＯＢＵアクセスのコンセプトを図解したものである。
【０３００】
図３２の例では、ＡＲ＿ＡＵＤＩＯ．ＡＲＯファイル内に、３つのＡＯＢ（ＡＯＢ＃１〜＃３）が記録されている。このファイル内の相対論理ブロック番号を指定することで、各ＡＯＢの先頭データにアクセスできる。例えばＡＯＢ＃２にアクセスするために、ＡＯＢ＃２の開始アドレスが、ＡＯＢ＃２用のＡＯＢＩのデータフィールド内に記述される。ＡＯＢ＃１の開始アドレスは、このファイル内での相対論理ブロック番号で“０”となる。
【０３０１】
図３２のＡＯＢ＃２は、ＡＯＢＵ＃１から始まる一連のＡＯＢＵで構成されている。各ＡＯＢＵは、連続したパックのシーケンスで構成される。ここで、パックとは、多重化のために分割されたオーディオおよびテキストのデータを含む単位である。ＡＲ＿ＡＵＤＩＯ．ＡＲＯファイル内では、全てのパックは、そのファイル内の相対ブロック番号でみて連続的に記録される。例えばＡＯＢ＃２内のＡＯＢＵ＃ｉの開始アドレスにアクセスするためには、ＡＯＢＵ＃ｉの開始アドレスを獲得する必要がある。そのために、ＡＯＢ＃２の開始アドレスにＡＯＢ＃２内の相対開始アドレスを加算する計算が行われる。これが、ＡＯＢＩのデータ構造を用いてＡＯＢＵにアクセスするための基本的なメカニズムである。
【０３０２】
なお、図３２のＡＲ＿ＡＵＤＩＯ．ＡＲＯファイルのＡＯＢ＃１、＃２、＃３、…は、図３（ｇ）の１９６〜１９７に対応している。また、図３２のＡＯＢＵデータ構造におけるＡＯＢＵ＃１、＃２、＃３、…は、図３（ｈ）の２４１〜２４８に対応している。さらに、図３（ｉ）の情報２５１は、ＡＯＢＵ＃ｉ（ｉ＝１、２、３、…）に対応している。
【０３０３】
再生開始時間および再生終了時間によって、ＡＯＢおよびＡＯＢＵに対する再生を任意に指定することができる。
【０３０４】
ＡＯＢおよびＡＯＢＵの再生開始時間は、該当ＡＯＢのデータパック内に記述されたタイムスタンプを用いることで特定できる。たとえば、各ＡＯＢＵ内のオーディオパックの先頭オーディオフレームは、その再生時間情報を、図示しないパケットヘッダのＰＴＳフィールド内に持っている。ＡＯＢあるいはＡＯＢＵのデータをデコードし再生するために、デコーダ（例えば図１４の４０２）内の基準クロック（例えば図１４のＳＴＣ１）は、再生が開始する先頭パック（図示せず）内に記述されたＳＣＲ値にセットされる。そして、クロックカウントが自動的に開始される。このクロックに基づいて、ＡＯＢあるいはＡＯＢＵの再生が行われる。
【０３０５】
図３３は、ＡＯＢＵエントリ（ＡＯＢＵ＿ＥＮＴ＃）のコンセプトを図解したものである。
【０３０６】
オーディオエレメンタリストリームのコーディングが可変ビットレートでなされるときは、各ＡＯＢＵのサイズ情報を格納する構造を持ったＡＯＢＵエントリが、各々のＡＯＢＵに対して用意される。というのも、可変ビットレートコーディングではＡＯＢＵのデータパック数が固定されないためである。
【０３０７】
一方、固定ビットレートの場合は、ＡＯＢＵエントリは定義されない。ＡＯＢに伴うＡＯＢＵエントリは、該当ＡＯＢＵの再生時間の増加順に記述される。
【０３０８】
テーブルサイズを最小限に抑えるために、各ＡＯＢＵエントリは、パック数の情報（図３３のＡＯＢＵ＿ＳＺ）だけを持つようになっている。この情報（ＡＯＢＵ＿ＳＺ＃ｉ）を用いることで、どのＡＯＢＵが所定の再生時間に対応するのかを算出できるようになる。というのも、最終ＡＯＢＵを除けば、各ＡＯＢＵの再生時間は常に一定であるからである。
【０３０９】
図３４は、リアルタイム記録オーディオマネージャ（図４（ｄ）のＲＴＲ＿ＡＭＧ１３０）のさらに他部（図４（ｅ）のＡＳＶＦＩＴ１４２）のデータ構造を例示している。
【０３１０】
図３４に示すように、オーディオスチルビデオファイル情報テーブルＡＳＶＦＩＴ（図４（ｅ）の１４２）は、オーディオスチルビデオファイル情報テーブル情報ＡＳＶＦＩＴＩ（図４（ｆ）の２６０）と、オーディオスチルビデオストリーム情報ＡＳＶ＿ＳＴＩ＃１〜＃ｎ（図４（ｆ）の２６１〜２６２）と、オーディオスチルビデオファイル情報ＡＳＶＦＩ（図４（ｆ）の２６４）とを含んでいる。
【０３１１】
図示しないが、ＡＳＶＦＩＴＩは、以下の情報項目を含んでいる：
（１）オーディオスチルビデオファイル情報ＡＳＶＦＩの数を記述したＡＳＶＦＩ＿Ｎｓ；
（２）オーディオスチルビデオストリーム情報ＡＳＶ＿ＳＴＩの数を記述したＡＳＶ＿ＳＴＩ＿Ｎｓ；
（３）ＡＳＶＦＩＴの先頭バイトからの相対ブロック番号でもってオーディオスチルビデオファイル情報テーブルＡＳＶＦＩＴの終了アドレスを記述したＡＳＶＦＩＴ＿ＥＡ。
【０３１２】
各オーディオスチルビデオストリーム情報ＡＳＶ＿ＳＴＩは、ビデオ属性Ｖ＿ＡＴＲを含んでいる。このＶ＿ＡＲＴは、該当ＡＳＶ＿ＳＴＩを参照する１以上のオーディオスチルビデオユニット（ＡＳＶＵ）のビデオ属性を、記述したものである。
【０３１３】
図示しないが、Ｖ＿ＡＴＲは、以下の情報項目を含んでいる：
（ａ）ＭＰＥＧ−１、ＭＰＥＧ−２などを示すビデオ圧縮モード；
（ｂ）５２５／６０（ＮＴＳＣ）、６２５／５０（ＰＡＬ）などを示すＴＶシステム；
（ｃ）４：３、１６：９などを示すアスペクト比；
（ｄ）７２０×４８０、５４４×４８０などのビデオ解像度。
【０３１４】
図３４に示すように、オーディオスチルビデオファイル情報ＡＳＶＦＩは、ＡＳＶＦＩ一般情報ＡＳＶＦＩ＿ＧＩ（図４（ｇ）の２７０）と、１以上のＡＳＶＵＩサーチポインタＡＳＶＵＩ＿ＳＲＰ＃１〜＃ｎ（図４（ｇ）の２７１〜２７２）と、１以上のＡＳＶＵ情報ＡＳＶＵＩ＃１〜＃ｎ（図４（ｇ）の２７３〜２７９）とを含んでいる。
【０３１５】
図示しないが、ＡＳＶＦＩ＿ＧＩは、ＡＳＶＵＩサーチポインタＡＳＶＵＩ＿ＳＲＰの数を記述したＡＳＶＵＩ＿ＳＲＰ＿Ｎｓを含んでいる。なお、オーディオスチルビデオファイル内のＡＳＶＵの最小数は“１”であり、その最大数は“９９９”である。
【０３１６】
また、図示しないが、各ＡＳＶＵＩ＿ＳＲＰは、該当ＡＳＶＦＩＴの先頭バイトからの相対ブロック番号でもってオーディオスチルビデオユニット情報ＡＳＶＵＩの開始アドレスを記述したＡＳＶＵＩ＿ＳＡを含んでいる。
【０３１７】
図３４に示すように、ＡＳＶＵ情報ＡＳＶＵＩは、ＡＳＶＵ一般情報ＡＳＶＵ＿ＧＩ（図４（ｈ）の２８０）と、１以上のオーディオスチルビデオオブジェクトエントリＡＳＶＯＢ＿ＥＮＴ＃１〜＃ｎ（図４（ｈ）の２８１〜２８９）とを含んでいる。
【０３１８】
図示しないが、ＡＳＶＵ＿ＧＩは、以下の情報項目を含んでいる：
（１）ＡＳＶＵ内のＡＳＶＯＢの数を記述したＡＳＶＯＢ＿Ｎｓ；
（２）ＡＳＶＵのＡＳＶ＿ＳＴＩ番号を記述したＡＳＶ＿ＳＴＩＮ（なお、１以上のＡＳＶＵが同じＡＳＶ＿ＳＴＩを共有することもできる）；
（３）ＡＳＶＵ内の先頭ＡＳＶＯＢが記録されたときの時間を記述したＦＩＲＳＴ＿ＡＳＶＯＢ＿ＲＥＣ＿ＴＭ；
（４）ＡＳＶＵ内の最終ＡＳＶＯＢが記録されたときの時間を記述したＬＡＳＴ＿ＡＳＶＯＢ＿ＲＥＣ＿ＴＭ（なお、同じＡＳＶＵ内では、ＬＡＳＴ＿ＡＳＶＯＢ＿ＲＥＣ＿ＴＭはＦＩＲＳＴ＿ＡＳＶＯＢ＿ＲＥＣ＿ＴＭの後になる）；
（５）ＡＲ＿ＳＴＩＬＬ．ＡＲＯファイル（図２の２１３）の先頭論理ブロックからの相対論理ブロック番号でもってＡＳＶＵの開始アドレスを記述したＡＳＶＵ＿ＳＡ。
【０３１９】
図示しないが、各ＡＳＶＯＢ＿ＥＮＴは、以下の情報項目を含んでいる：
（ａ）ＡＳＶＯＢエントリの形式を記述したＡＳＶＯＢ＿ＥＮＴ＿ＴＹ；
（ｂ）ＡＳＶＯＢのサイズを論理ブロック数で記述したＡＳＶＯＢ＿ＳＺ。
【０３２０】
なお、ＡＳＶＯＢ＿ＥＮＴ＿ＴＹは一時消去フラグＴＥを含んでいる。（ＴＥ＝“００ｂ”は該当ＡＳＶＯＢが通常状態にあることを示し、ＴＥ＝“０１ｂ”は該当ＡＳＶＯＢが仮消去状態にあることを示す。）
図３５は、図３４のＡＳＶＯＢ＿ＥＮＴ＃ｎ（ｎは整数）または図４のＡＳＶＯＢ＿ＥＮＴ＃１に対応したオーディオスチルビデオオブジェクトエントリ（ＡＳＶＯＢ＿ＥＮＴ）の内容を例示している。
【０３２１】
図３５に示すように、ＡＳＶＯＢ＿ＥＮＴは、以下の情報項目を含んでいる：
（ａ）ＡＳＶＯＢエントリの形式を記述したＡＳＶＯＢ＿ＥＮＴ＿ＴＹ；
（ｂ）ＡＳＶＯＢのサイズを論理ブロック数で記述したＡＳＶＯＢ＿ＳＺ。
【０３２２】
ＡＳＶＯＢ＿ＥＮＴ＿ＴＹは、仮消去フラグＴＥを含んでいる。ＴＥ＝“００ｂ”は該当ＡＳＶＯＢが通常状態にあることを示し、ＴＥ＝“０１ｂ”は該当ＡＳＶＯＢが仮消去状態にあることを示す。
【０３２３】
図３６は、オーディオスチルビデオオブジェクト（ＡＳＶＯＢ）のデータ構造を例示している。
【０３２４】
図３６に示すように、ＡＲ＿ＳＴＩＬＬ．ＡＲＯファイルの各ＡＳＶＵ（ここではＡＳＶＵ＃２）は、１以上のＡＳＶＯＢ（ここではＡＳＶＯＢ＃１〜＃ｎ）で構成される。各ＡＳＶＯＢ（ここではＡＳＶＯＢ＃２）は、ダミーパックと、１以上のビデオパックＶ＿ＰＣＫと、ＭＰＥＧプログラムエンドコード用の論理ブロックとを含んでいる。ダミーパックは、ＡＳＶＯＢの開始部分に、１つだけ存在する。このダミーパックは、システムヘッダと幾つかの付加情報（図示しないが、ＩＳＲＣコード、コピー管理情報その他で構成される記録情報など）を持っている。ビデオパックＶ＿ＰＣＫは、ＭＰＥＧプログラムストリームに準拠するもので、シーケンスエンドコードが後に続くＭＰＥＧビデオデータのＩピクチャのみを含んでいる。各ＡＳＶＯＢは、ＭＰＥＧプログラムエンドコードの論理ブロックで終了する。
【０３２５】
なお、図３６に示されるＡＳＶＵは、それぞれ、図４（ｇ）の２７３〜２７９に対応している。また、図３６に示されるＡＳＶＯＢは、それぞれ、図４（ｈ）の２８１〜２８９に対応している。
【０３２６】
図３７は、ＡＳＶＯＢアクセスのコンセプトを図解したものである。図３７のＡＳＶＵおよびＡＳＶＯＢは、それぞれ、図３６のＡＳＶＵおよびＡＳＶＯＢに対応している。
【０３２７】
オーディオスチルビデオＡＳＶとは、ビデオ再生可能なオーディオプレーヤ（ＶＣＡＰと略記される）によりオーディオデータとともに再生されるべき、スチルピクチャデータのことをいう。オーディオスチルビデオオブジェクトＡＳＶＯＢは、ボタン（ユーザ選択用の視覚上のアイテム）なしの１枚のスチルピクチャだけで構成される。また、オーディオスチルビデオユニットＡＳＶＵは、１以上（最大９９まで）のＡＳＶＯＢの集合体である。
【０３２８】
なお、〜．ＡＲＯファイルに記録されたＡＳＶＯＢにアクセスするにあたり、ＡＳＶＵＩという情報が、該当ファイルに関するアドレス情報を得るために用いられる。各ＡＳＶＵＩは、該当ＡＳＶＵに含まれるＡＳＶＯＢのアドレス情報により構成される。
【０３２９】
図３７は、ＡＳＶおよびそのＡＳＶＯＢにアクセスする際の基本的なコンセプトを例示している。図３７の例では、３つのＡＳＶＵ（ＡＳＶＵ＃１〜＃３）がＡＲ＿ＳＴＩＬＬ．ＡＲＯファイルに記録されている。ここで、ＡＳＶＵ＃２は、ＡＳＶＯＢ＃１から始まる一連のＡＳＶＯＢのシーケンスで構成されている。ＡＳＶＵ＃２内のＡＳＶＯＢ＃ｉにアクセスするために、プレーヤ（ＶＣＡＰ）は、ＡＲ＿ＳＴＩＬＬ．ＡＲＯファイル内のＡＳＶＵ＃２の開始アドレスおよびＡＳＶＵ＃２内のＡＳＶＯＢ＃ｉの開始アドレスを獲得する。それから、プレーヤは、獲得した２つの開始アドレスを合計して、ＡＲ＿ＳＴＩＬＬ．ＡＲＯファイル内のＡＳＶＯＢ＃ｉの開始アドレスを獲得する。
【０３３０】
図３８は、リアルタイム記録オーディオマネージャ（図５（ｄ）のＲＴＲ＿ＡＭＧ１３０）のさらに他の部分（図５（ｅ）のＴＸＴＤＴ＿ＭＧ１４６）のデータ構造を例示している。
【０３３１】
図３８に示すように、テキストデータマネージャＴＸＴＤＴ＿ＭＧは、テキストデータ情報ＴＸＴＤＴＩ（図５（ｆ）の２３１）と、１以上のアイテムテキストサーチポインタＩＴ＿ＴＸＴ＿ＳＲＰ＃１〜＃ｎ（図５（ｆ）の２３２〜２３３）と、１以上のアイテムテキストＩＴ＿ＴＸＴ（図５（ｆ）の２３６〜２３８）とを含んでいる。
【０３３２】
図示しないが、ＴＸＴＤＴＩは、以下の情報項目を含んでいる：
（１）ＴＸＴＤＴ＿ＭＧ内で用いられる文字セットコード（ＡＳＣＩＩコードなど）を記述したＣＨＲＳ；
（２）ＩＴ＿ＴＸＴ＿ＳＲＰの数を記述したＩＴ＿ＴＸＴ＿ＳＲＰ＿Ｎｓ；
（３）ＴＸＴＤＴ＿ＭＧの先頭バイトから相対ブロック番号でもってＴＸＴＤＴ＿ＭＧの終了アドレスを記述したＴＸＴＤＴ＿ＭＧ＿ＥＡ。
【０３３３】
図示しないが、各ＩＴ＿ＴＸＴ＿ＳＲＰは、以下の情報項目を含んでいる：
（ａ）ＴＸＴＤＴ＿ＭＧの先頭バイトから相対ブロック番号でもってＩＴ＿ＴＸＴの開始アドレスを記述したＩＴ＿ＴＸＴ＿ＳＡ；
（ｂ）ＩＴ＿ＴＸＴのサイズをバイトで表したＩＴ＿ＴＸＴ＿ＳＺ。
【０３３４】
なお、ＩＴ＿ＴＸＴは、前述したＣＨＲＳにより指定される文字コードでもってアイテムテキストを記述したものである。
【０３３５】
この発明の実施の形態は、代表画像、ディスク代表画像、ディスク代表名、レジュームマーカ、プレーヤのメニュー（図６参照）で用いられるプライマリテキスト情報などのような、幾つかの機能およびデータ構造を持っている。
【０３３６】
上記レジュームマーカは、停止操作により再生が中断された位置の情報を保持するものである。この情報を用いることにより、たとえディスク１００が図１４のディスクドライブ４０９から一旦イジェクトされその後再挿入されたとしても、再生が中断された場所から正確に再生を再開できるようになる。
【０３３７】
ディスク１００自身のトラックおよびプレイリスト各々は、代表画像を持つことができる。これらの代表画像は、ユーザが、目的のトラック、目的のプレイリストあるいは目的のディスクを識別しやすくするために、用いることができる。ディスク１００に含まれる任意のオーディオスチルビデオは、トラックおよび／またはプレイリストに対する代表画像として定義できるほか、そのディスクのディスク代表画像として定義することもできる。
【０３３８】
これらの機能およびデータ構造の多くは、オプションとして扱うことができる。したがって、これらの機能あるいはデータを扱う機能を持たないレコーダあるいはプレーヤも、あり得る。
【０３３９】
図３９は、プライマリテキスト情報（図２９のＰＲＭ＿ＴＸＴなど）の利用例を示している。
【０３４０】
図３９に示すように、プライマリテキストは、トラック、プレイリスト、および／またはインデックス用エントリポイントの記述に用いることができ、それらの同定あるいは識別に利用できる。プライマリテキスト情報ＰＲＭ＿ＴＸＴＩは、２種類の文字セット（ＡＳＣＩＩおよびそれ以外の１以上の文字セット）で記述することができる。ＡＳＣＩＩ文字セットは、ディスク１００の世界的な利用に向けて使用される共通の文字セットとして、サポートされている。
【０３４１】
トラックセットあるいはモニタＴＶスクリーンで示されるテキストの例としては、図６（ａ）のトラックタイトル３のテキストがある。
【０３４２】
図３９の例では、プレーヤは、全トラック＃１〜＃３に対するＰＲＭ＿ＴＸＴＩを収集し、それからメニュー（図３９のモニタＴＶスクリーン上に表示される）を作成している。これにより、ユーザは、再生しようとするトラックを容易に選択できるようになる。たとえば、トラック＃１のプライマリテキスト「交響曲第９番」、トラック＃２のプライマリテキスト「ピアノ協奏曲」、およびトラック＃３のプライマリテキスト「合唱の饗宴」をメニューで表示し、ユーザが、このメニューから、たとえば「ピアノ協奏曲」を選択できるようにする。この選択により、ディスクに記録されたトラック＃２の内容が再生されるようになる。
【０３４３】
また、ディスク１００は、ディスク代表名（たとえば「私のディスク」、「姉のディスク」、「弟のディスク」といったもの）を持つことができるようになっている。このディスク代表名は、特定のディスク（たとえば「私のディスク」）を同定することに利用できる。たとえば、多数のディスク（「私のディスク」、「姉のディスク」、「弟のディスク」）を内蔵して扱える機器（マルチディスク対応のレコーダ／プレーヤ）は、この情報（ディスク代表名）を用いて、セットされている複数のディスクの中から、目的のディスク（たとえば「私のディスク」）を同定できる。
【０３４４】
図４０は、オーディオおよびオーディオスチルビデオ（ＡＳＶＯＢ）の再生についての説明図である。
【０３４５】
図４０のＡＳＶＯＢは、図７（ａ）のスチルピクチャＮｏ．１〜Ｎｏ．９に対応している。また、図４０のオーディオ再生ブロックは、図７（ｂ）のオーディオトラックＮｏ．１〜Ｎｏ．３のブロックに対応している。
【０３４６】
オーディオスチルビデオＡＳＶの再生は、オリジナルＰＧＣまたはユーザ定義ＰＧＣ内のディスプレイリストのエントリポイントでもって規定される。また、オーディオスチルビデオオブジェクト（ＡＳＶＯＢ）は再生データとして定義されている。
【０３４７】
オーディオスチルビデオユニットＡＳＶＵは、１以上のセル（またはトラック）が再生されている間に再生されるところの１以上の（最大“９９”までの）ＡＳＶＯＢの集合体である。このＡＳＶＵは、セル再生開始前に、メモリ（ＡＳＶＵバッファ）に事前取り込みされる。プレーヤは、ＡＳＶＵの取り込み中はオーディオ出力をミュートしてもよい。
【０３４８】
ディスク１００には１以上のＡＳＶＵを記録することができ、各ＡＳＶＵのサイズは２Ｍバイト以下となっている。
【０３４９】
ＡＳＶＵ内の全てのＡＳＶＯＢデータがＡＳＶＵバッファ内に保持されているので、ＡＳＶＯＢの表示順序および表示タイミングに関して種々な再生機能を実現できる。たとえば、スライドショーおよびブラウザブルピクチャを、ＡＳＶＵバッファの利用によって具現できる。ＡＳＶＵバッファ内に保持された各ＡＳＶＯＢの表示タイミングは、たとえば図１４のメインＭＰＵ部４０４により、自由に決定できる。
【０３５０】
図４１は、オリジナルＰＧＣ（図２６のＯＲＧ＿ＰＧＣＩ）の構造を例示している。
【０３５１】
図４１のＰＧＣＩ内のプログラム＃１、＃２、…は、図７（ｇ）のプログラム情報３１１〜３１４に対応している。図４１のＰＧＣＩ内のセル＃１、＃２、…は、図７（ｆ）のオリジナルセル情報３０１〜３０５に対応している。図４１のＡＲ＿ＡＵＤＩＯ．ＡＲＯファイル内のＡＯＢ＃１、＃２、…は、図７（ｅ）のＡＯＢ＃１、＃２、…に対応している。また、図４１のＡＲ＿ＡＵＤＩＯ．ＡＲＯファイルは、図８（ｆ）のファイル２２１に対応している。
【０３５２】
図４１に示すように、オリジナルＰＧＣは、ＰＧＣＩと、１以上のＡＯＢＩと、１以上のＡＯＢとで構成されている。ＰＧＣＩはプログラムチェーンからなり、各プログラムは１つのセルあるいは１以上のセルのシーケンスからなる。したがって、オリジナルＰＧＣ全体の再生は、セル再生のシーケンスとなる。セル再生順序は、ＰＧＣＩ内に記述されたセル情報の順序と同じになる。
【０３５３】
各セルの再生を可能とするために、セル情報（ＣＩ）はＡＯＢ番号と再生開始時間の情報を含んでいる。この再生開始時間は、先頭ＡＯＢＵの再生期間よりも短い。そのため、ＡＯＢの再生は、ＡＯＢの先頭あるいは先頭ＡＯＢＵの中間から開始される。
【０３５４】
部分消去などの編集がなされていない限り、オリジナルＰＧＣ内では、各セルはＡＯＢ全体の再生期間を参照する。何らかの編集がなされたあとは、オリジナルＰＧＣ内のセルはＡＯＢ全体を参照しなくてもよい。なぜならば、ＡＯＢＵの境界が十分な切り分け解像度をもたらさないからである。必要な精度は、少なくともコーディングブロックの期間である。しかし、ＡＯＢ内の最終ＡＯＢＵを除く全てのＡＯＢＵは、一定の再生期間を持っている。そのため、（編集後の）切り分け終了部分を含むＡＯＢＵは新たなＡＯＢ内に残り、セルはそのＡＯＢＵのセグメントを参照することになる。
【０３５５】
これに対し、切り分け開始部分を含むＡＯＢＵは、ＡＯＢＵ全体として残る必要はない。したがって、切り分け開始部分の後のＡＯＢＵのセグメントは削除され、切り分け終了部分の前のセグメントは新たなＡＯＢに残ることになる。
【０３５６】
ここで、〜．ＡＲＯファイル内に記録されたＡＯＢＵにアクセスするために、ＡＯＢＩが、そのファイルに関するアドレス情報を獲得するのに用いられる。ＡＯＢＩには２種類ある。その１つは固定ビットレートコーディング用であり、他の１つは可変ビットレートコーディング用である。固定ビットレートでコーディングされるときは、最終ＡＯＢＵを除く各ＡＯＢＵのサイズは一定となる。一方、可変ビットレートでコーディングされるときは、各ＡＯＢＵのサイズは異なるものとなる。しかし、固定ビットレートの場合でも可変ビットレートの場合でも、最終ＡＯＢＵを除く各ＡＯＢＵの再生期間は、一定となる。
【０３５７】
ＡＯＢが作成されると、〜．ＡＲＯファイルの末尾に作成されたＡＯＢが追加される。そして、多くの場合、そのＡＯＢに伴うプログラムが、ＰＧＣＩの末尾に追加される。
【０３５８】
図４２は、ユーザ定義ＰＧＣ（図１または図２６のＵＤ＿ＰＧＣＩＴ）の構造例を示している。
【０３５９】
図４２に示されるユーザ定義ＰＧＣ＃ｎのＰＧＣＩ＃ｎ内にあるセルは、図７（ｄ）のセル情報ＣＩに対応している。また、図４２のＡＯＢＩは、図７（ｅ）のＡＯＢＩに対応している。
【０３６０】
図４２に示すように、ユーザ定義ＰＧＣ＃ｎは、ＰＧＣ内のセルがオリジナルＰＧＣ内のＡＯＢを参照するように、生成される。ユーザ定義ＰＧＣ＃ｎは４つのセル（＃１〜＃４）を持つ。そのうちの２つはＡＯＢ＃１を参照し、他の２つはＡＯＢ＃２を参照している。ユーザ定義ＰＧＣ内のセルからオリジナルＰＧＣ側へ向かう下向き矢印は、これらのセルの再生期間を示している。ユーザ定義ＰＧＣ内のセル再生順序は、オリジナルＰＧＣの再生とは全く異なったものになってもよい。
【０３６１】
図４３は、代表音声用のエントリポイントを例示している。
【０３６２】
各トラックは代表音声（図９の“情報内容”の第２パラグラフ参照）を持つことができる。この代表音声は、代表画像の場合と同様、ユーザが目的のトラックを識別する際の助けとして用いることができる。トラックの代表音声は、そのトラックの特定の一部分である。１つのトラックに対する代表音声の数は、最大「１個」である。換言すれば、各トラックは、任意に、１つの代表音声を持つことができる。
【０３６３】
各トラックの代表音声の開始位置および再生期間は、代表音声（図９の“情報内容”の第２パラグラフ参照）用のエントリポイント（図４３では｛Ｒ｝付の上向き矢印）に記述される。代表音声の開始位置は、このエントリポイントのタイミング情報に対応する。代表音声用のエントリポイントは、その代表音声の再生期間を指定する付加情報を持っている。
【０３６４】
図４３は、オリジナルＰＧＣ内の代表音声のエントリポイントの例を示すもので、３つのプログラムＰＧ＃１、ＰＧ＃２、ＰＧ＃３が例示されている。ここでは、ＰＧ＃２だけが、代表音声用のエントリポイント｛Ｒ｝を持っている。このエントリポイント｛Ｒ｝は、インデックスおよびディスプレイリスト用のエントリポイントと同様なエントリポイントテーブルに記述される。
【０３６５】
図４４は、セルエントリポイント情報（タイプＤ２のＣ＿ＥＰＩ；図２７あるいは図１（ｈ）のＣ＿ＥＰＩ＃参照）の内容を例示している。
【０３６６】
図４４に示すように、タイプＤ２のＣ＿ＥＰＩは、以下の情報項目を含んでいる：
（１）エントリポイントの形式を記述したＥＰ＿ＴＹ（このＥＰ＿ＴＹはＥＰ＿ＴＹ１とＥＰ＿ＴＹ２とで構成され、タイプＤ２はＥＰ＿ＴＹ１＝“００ｂ”とＥＰ＿ＴＹ２＝“１１ｂ”との組み合わせで指定される。）；
（２）エントリポイントの再生時間を記述したＥＰ＿ＰＴＭ（この再生時間は、代表音声の開始時間を示す。）；
（３）代表音声の持続期間を記述したＲＡ＿ＤＵＲ。
【０３６７】
なお、ＥＰ＿ＴＹは、図９の“情報内容”の第２パラグラフに記載されたエントリポイントに対応している。また、ＲＡ＿ＤＵＲは、図９の“情報内容”の第２パラグラフに記載された再生開始時間から再生終了時間までの範囲に対応している。
【０３６８】
図４５は、セルエントリポイント情報（タイプＢ１のＣ＿ＥＰＩ；図２７あるいは図１（ｈ）のＣ＿ＥＰＩ＃参照）の内容を例示している。
【０３６９】
図４５に示すように、タイプＢ１のＣ＿ＥＰＩは、以下の情報項目を含んでいる：
（１）エントリポイントの形式を記述したＥＰ＿ＴＹ（このＥＰ＿ＴＹはＥＰ＿ＴＹ１とＥＰ＿ＴＹ２とで構成され、タイプＢ１はＥＰ＿ＴＹ１＝“０１ｂ”とＥＰ＿ＴＹ２＝“０１ｂ”との組み合わせで指定される。）；
（２）エントリポイントの再生時間を記述したＥＰ＿ＰＴＭ；
（３）エントリポイントにより指定されるインデックスポイントのインデックス番号を記述したＩＤＸＮ；
（４）エントリポイント用のプライマリテキストを記述したＰＲＭ＿ＴＸＴ。
【０３７０】
なお、セルがオリジナルＰＧＣに属し、エントリポイントがプログラム（ＰＧ）内で最初のものであるときは、ＩＤＸＮは“１”となる。このセルがユーザ定義ＰＧＣに属し、このエントリポイントがユーザ定義トラック用のエントリポイントを持つときは、ＩＤＸＮは“１”となる。
【０３７１】
エントリポイントが上記条件を満足しないときは、このエントリポイントのＩＤＸＮは、先の（先行する）タイプＢエントリポイントのＩＤＸＮに「１」を加えたものとなる（つまり、このエントリポイントのＩＤＸＮは「１」だけインクリメントされる）。
【０３７２】
なお、先行エントリポイントは、先行セルに含まれていてもよい。
【０３７３】
また、ＰＲＭ＿ＴＸＴは、図９の“情報内容”の第５パラグラフに記載されたＰＲＭ＿ＴＸＴＩに対応している。
【０３７４】
図４６は、セルエントリポイント情報（タイプＢ２のＣ＿ＥＰＩ；図２７あるいは図１（ｈ）のＣ＿ＥＰＩ＃参照）の内容を例示している。
【０３７５】
図４６に示すように、タイプＢ２のＣ＿ＥＰＩは、以下の情報項目を含んでいる：
（１）エントリポイントの形式を記述したＥＰ＿ＴＹ（このＥＰ＿ＴＹはＥＰ＿ＴＹ１とＥＰ＿ＴＹ２とで構成され、タイプＢ２はＥＰ＿ＴＹ１＝“００ｂ”とＥＰ＿ＴＹ２＝“０１ｂ”との組み合わせで指定される。）；
（２）エントリポイントの再生時間を記述したＥＰ＿ＰＴＭ；
（３）エントリポイントにより指定されるインデックスポイントのインデックス番号を記述したＩＤＸＮ。
【０３７６】
なお、タイプＢ２のＣ＿ＥＰＩは、タイプＢ１のＣ＿ＥＰＩからＰＲＭ＿ＴＸＴの情報を取り除いたものに相当している。
【０３７７】
図４７は、セルエントリポイント情報（タイプＣ２のＣ＿ＥＰＩ；図２７あるいは図１（ｈ）のＣ＿ＥＰＩ＃参照）の内容を例示している。
【０３７８】
図４７に示すように、タイプＣ２のＣ＿ＥＰＩは、以下の情報項目を含んでいる：
（１）エントリポイントの形式を記述したＥＰ＿ＴＹ（このＥＰ＿ＴＹはＥＰ＿ＴＹ１とＥＰ＿ＴＹ２とで構成され、タイプＣ２はＥＰ＿ＴＹ１＝“００ｂ”とＥＰ＿ＴＹ２＝“１０ｂ”との組み合わせで指定される。）；
（２）エントリポイントの再生時間を記述したＥＰ＿ＰＴＭ（該当セルのディスプレイタイミングモードがブラウザブルのときは、このＥＰ＿ＰＴＭのフィールドは“００ｈ”で埋められる。）；
（３）エントリポイントのＡＳＶＯＢのエントリ番号を記述したＡＳＶＯＢ＿ＥＮＴＮ（該当セルのディスプレイオーダモードがランダムあるいはシャッフルのときは、ＡＳＶＯＢ＿ＥＮＴＮのフィールドは“００ｈ”に設定される。）；
（４）該当セル内のホームディスプレイリスト（Home DLIST）を指定するところのエントリポイント番号を記述したＨＯＭＥ＿ＤＬＩＳＴＮ（タイプＣ２の各エントリポイントにおいては、ＨＯＭＥ＿ＤＬＩＳＴＮの値は同じとなる；該当セルにＨＯＭＥ＿ＤＬＩＳＴＮがない場合は、ＨＯＭＥ＿ＤＬＩＳＴＮは“００ｈ”に設定される；もし該当セルのディスプレイタイミングモードがスライドショーであるならば、ＨＯＭＥ＿ＤＬＩＳＴＮは“００ｈ”に設定される；もし該当セルのディスプレイオーダモードがランダムあるいはシャッフルであるならば、ＨＯＭＥ＿ＤＬＩＳＴＮは“００ｈ”に設定される；なお、ＨＯＭＥ＿ＤＬＩＳＴＮは、該当セル内のエントリポイントの数以下となっている。）；
（５）先行ＡＳＶＯＢの表示が終了し現ＡＳＶＯＢの表示が開始されるときのビジュアル効果（カットイン／カットアウト、フェードイン／フェードアウト、ディゾルビング（分解）、ワイピングなど）の情報を記述したＳ＿ＥＦＦＥＣＴ；
（６）ＡＳＶＯＢの表示およびＡＳＶＵの再生が終了したときのビジュアル効果情報を記述したＥ＿ＥＦＦＥＣＴ；
（７）ＡＳＶＯＢを更新する最大期間（＝ＭＡＸ＿ＤＵＲ×ビデオフレーム；１ビデオフレームの長さは、ＮＴＳＣでは１／２９．２７秒、ＰＡＬでは１／２５秒）を記述したＭＡＸ＿ＤＵＲ（該当セルのディスプレイタイミングモードがスライドショーであるときは、ＭＡＸ＿ＤＵＲのフィールドは“００ｈ”で埋められる。）；
（８）ＡＳＶＯＢを更新する最小期間（＝ＭＩＮ＿ＤＵＲ×ビデオフレーム）を記述したＭＩＮ＿ＤＵＲ。
【０３７９】
なお、ＭＡＸ＿ＤＵＲまたはＭＩＮ＿ＤＵＲの期間が無限のときは、ＭＡＸ＿ＤＵＲまたはＭＩＮ＿ＤＵＲのフィールドは“００ｈ”で埋められる。
【０３８０】
また、最大持続期間と最小持続期間とが同じ場合は、ＡＳＶを更新する期間は常に一定となる。最大持続期間と最小持続期間とが異なる場合は、ＡＳＶを更新する期間は、最大持続期間と最小持続期間との間で、（プレーヤにより）ランダムに変化させられる。
【０３８１】
また、最小持続期間は０．４秒以上に設定され、最大持続期間は最小持続期間以上に設定される。
【０３８２】
さらに、タイプＣ２のＥＰ＿ＴＹは、図９の「スチルピクチャエントリポイント２１〜２６」に関する“情報内容”の最初のパラグラフに記載されたエントリポイントタイプ情報（ＥＰ＿ＴＹ）に対応する。タイプＣ２のＥＰ＿ＰＴＭは、同箇所の３番目のパラグラフに記載された情報（ＥＰ＿ＰＴＭ）に対応する。タイプＣ２のＡＳＶＯＢ＿ＥＮＴＮは同箇所の２番目のパラグラフに記載された情報（ＡＳＶＯＢ＿ＥＮＴＮ）に対応する。タイプＣ２のＭＡＸ＿ＤＵＲおよびＭＩＮ＿ＤＵＲは、同箇所の４番目のパラグラフに記載された情報（ＭＡＸ＿ＤＵＲ＆ＭＩＮ＿ＤＵＲ）に対応する。
【０３８３】
図４８は、ＰＧＣ一般情報（図２７あるいは図１（ｇ）のＰＧＣ＿ＧＩ）の内容を例示している。
【０３８４】
図４８に示すように、ＰＧＣ＿ＧＩは、プログラムの数を記述したＰＧ＿Ｎｓと、セル情報サーチポインタＣＩ＿ＳＲＰの数を記述したＣＩ＿ＳＲＰ＿Ｎｓとを含んでいる。
【０３８５】
なお、ユーザ定義ＰＧＣの場合では、ＰＧ＿Ｎｓは“０”に設定される。オリジナルＰＧＣのプログラムの最大数は“９９”となっている。ＣＩ＿ＳＲＰの最大数は“９９９”である。
【０３８６】
図４９は、プログラム情報（図２７のＰＧＩ＃）の内容を例示している。
【０３８７】
図４９に示すように、ＰＧＩは、以下の情報項目を含んでいる：
（１）プログラムの形式を記述したＰＧ＿ＴＹ；
（２）プログラム内のセルの数を記述したＣ＿Ｎｓ；
（３）プログラム用のプライマリテキストを記述したＰＲＭ＿ＴＸＴＩ；
（４）プログラムに対応したテキストデータを持つアイテムテキストのサーチポインタ番号を記述したＩＴ＿ＴＸＴ＿ＳＲＰＮ；
（５）代表画像情報を記述したＲＥＰ＿ＰＩＣＴＩ（図５０参照）。
【０３８８】
なお、ＰＧ＿ＴＹはプロテクトフラグを含んでいる。このフラグが“０ｂ”のときは、該当プログラムは保護されない状態にある。このフラグが“１ｂ”のときは、該当プログラムは保護された状態となる。
【０３８９】
プログラムが保護された状態にあるときは、そのプログラムの再生時に参照され利用される全てのＡＯＢおよびＡＳＶＯＢは、仮消去も完全消去もできない。
【０３９０】
該当プログラムにより参照され利用される全てのＡＯＢおよびＡＳＶＯＢが通常状態にある場合を除き、そのプロテクトフラグが“１ｂ”に設定されることはない。
【０３９１】
図５０は、代表画像情報（図２９あるいは図４９のＲＥＰ＿ＰＩＣＴＩ）の内容を例示している。
【０３９２】
図５０に示すように、ＲＥＰ＿ＰＩＣＴＩは、以下の情報項目を含んでいる：
（ａ）トラック用の代表画像が存在するところのＡＳＶＵ番号（例えば、図１０（ｆ）、図２８（ａ）その他に示されるＡＳＶＵの＃１）を記述したＡＳＶＵＮ；
（ｂ）トラック用の代表画像が存在するところのＡＳＶＯＢ＿ＥＮＴ番号（例えば、図４（ｈ）、図１２（ｇ）その他に示されるＡＳＶＯＢ＿ＥＮＴの＃１）を記述したＡＳＶＯＢ＿ＥＮＴＮ。
【０３９３】
なお、ＲＥＰ＿ＰＩＣＴＩは図１２（ｄ）の４１〜４４に対応し、ＡＳＶＵＮは図１２（ｇ）の２７３〜２７４に対応し、ＡＳＶＯＢ＿ＥＮＴＮは図１２（ｇ）の２８１〜２９６に対応している。
【０３９４】
【発明の効果】
以上説明したようにこの発明における効果をまとめると下記の通りとなる。
【０３９５】
１．音声情報に関する管理情報内の再生手順を示すＰＧＣ情報にオーディオトラックの切れ目情報を持たせることで、管理情報に対して既存のビデオレコーディング規格と同じデータ構造とデータ構造階層（ＰＧＣ／(プログラム)／セルの階層構造）を確保できる。
【０３９６】
その結果、既存のビデオレコーディング規格との間の高い互換性が確保でき、映像情報（ムービーオブジェクト）と音声情報間の再生時の相互乗り入れが可能となる。また、管理情報内にオーディオトラックの切れ目情報が記録されるので音声情報特有のオーディオトラック単位の記録、再生、編集処理を非常に容易に行うことができる。
【０３９７】
２.オリジナルトラックに関する管理情報であるオリジナルプログラムチェーン情報１４４内のプログラムをオリジナルトラックに対応させ、このプログラムに関する情報記録領域であるプログラム情報３１１〜３１４にオーディオトラックに固有な“オーディオトラックに関するテキスト情報”、“オーディオトラックの内容を示す代表画像”、“静止画像の表示モード”、“消去禁止フラグ”などを記録することでオーディオトラック個々の情報を細かく管理でき、オーディオトラック単位の記録、再生、編集処理を非常に容易に行うことができる。
【０３９８】
３.プレイリストに関する管理情報であるユーザ定義ＰＧＣ情報テーブル１４５内のセル情報１６４〜１６９に対してオーディオトラックの切れ目情報を示すトラックヘッドエントリポイント１７１〜１７３の情報を記録し、“オーディオトラックに関するテキスト情報”、“オーディオトラックの内容を示す代表画像”、“静止画像の表示モード”、“消去禁止フラグ”など各種オーディオトラック固有の情報をこのトラックヘッドエントリポイント１７１〜１７３内に持たせることでオーディオトラック個々の情報を細かく管理でき、オーディオトラック単位の記録、再生、編集処理を非常に容易に行うことができる。
【０３９９】
４.オーディオトラック再生時に同時に表示する静止画像をユーザが指定すると、オーディオトラックの再生時間と設定した静止画像の枚数から音声情報再生時の各静止画像の表示タイミングを自動算出し、管理情報に自動的に記録することでユーザに負担を掛けることなく、非常に容易に静止画像の表示時間を設定できる。
【０４００】
５.オリジナルリストとプレイリストを同時に画面上に表示する（オーディオレコーディングに限らずビデオレコーディングにも適応可能）ことで、ユーザが容易にプレイリストの作成ができるようになる。
【０４０１】
６.オリジナルリスト内のオリジナルトラックの一部を集めてプレイリスト上に新たなトラックを作る時、あるいはオリジナルトラック内部を部分消去するときに、
Ａ）オリジナルトラック再生時に表示する全静止画像をプレイリスト上の新たなトラック再生時に表示する静止画像に利用する、あるいは部分消去前に表示していた全静止画像を部分消去後にも全て表示する；
Ｂ）オリジナルトラック再生時に表示する静止画像のうち、特定範囲内にある静止画像のみをプレイリスト上の新たなトラック再生時に表示する静止画像に利用する、あるいは部分消去範囲内に表示していた静止画像は部分消去後には表示しない；
のどちらの処理を選択するかが編集機（情報記録再生装置）により異なっているとユーザが混乱するとともに、ユーザの認知しない所でＡ）、Ｂ）のどちらの処理を行うかの判断が編集機（情報記録再生装置）内で自動的に行われるとユーザが不快感を感じる。
【０４０２】
ユーザがプレイリストを作成する画面上にＡ）、Ｂ）のどちらの処理を行うかの判断情報をディスプレイモード７の形で表示することで新しいトラックに対する静止画像の設定方法をユーザが理解でき、不快感を覚えることがないとともに、編集機（情報記録再生装置）の機種に依らず一定の静止画像設定が行える。
【０４０３】
７.ムービーオブジェクトの任意画面を静止画像として抽出し、オーディオオブジェクトと同時表示可能な静止画像としてスチルピクチャＡＶファイル情報テーブル１４２内に登録することでムービーオブジェクトの任意画面を音声情報と同時に表示する静止画像として利用できる。また同時に、静止画像情報として１箇ところにまとめて記録できるために静止画像のアクセスの高速化が可能となり、途切れることなく連続して静止画像と音声情報の再生が可能となる。
【０４０４】
８．またこの発明では、トラック単位に指定し、そのトラック内容を示す代表画像の指定情報を前記管理情報内に持つとともに、上記の代表画像の指定情報はオーディオトラック再生時に表示する静止画像の指定情報とは別に設けられている。このために、オーディオトラック再生時に表示する静止画像が記録されているビデオオブジェクト（ＶＯＢ）グループ以外の別場ところにあるＶＯＢグループ内の任意の静止画像を代表画像として設定でき、自由度を高めることができる。
【０４０５】
９．オーディオトラック毎の固有情報を記録する領域内に、そのオーディオトラックの内容を示す代表音声の表示範囲情報を設けることによりユーザはオーディオトラックを全て聞かず、図６（ａ）（ｂ）に示した表示画面から確認したいオーディオトラックを指定するだけで、それが聞きたいオーディオトラックか否かを確認でき、ユーザのオーディオトラックへの検索性が大幅に向上する。
【図面の簡単な説明】
【図１】この発明に係るオーディオトラック情報に関する管理データ構造の例を示す図。
【図２】この発明に係る情報記憶媒体（ＤＶＤオーディオ記録ディスクなど）内に記録された再生可能な音声情報に関連した静止画ファイル、音声ファイル、テキストファイルのディレクトリ構造の例を示す図。
【図３】この発明に係るオーディオ情報に関する管理情報データ構造の例を示す図。
【図４】この発明に係る情報記憶媒体内に記録された静止画情報に関する管理情報データ構造の例を示す図。
【図５】この発明に係る情報記憶媒体内に記録されたテキスト情報に関する管理情報データ構造の例を示す図。
【図６】この発明に係るプレイリスト作成時の画面イメージを示す図。
【図７】この発明に係るプレイリストに関係した管理情報のデータ構造。
【図８】この発明に係るプレイリストとオーディオオブジェクトファイルの間の関係を示す説明図。
【図９】この発明に係るトラックヘッドエントリポイント（プログラム情報）とスチルピクチャエントリポイント内で記録される情報内容を比較して示す説明図。
【図１０】この発明に係るプレイリストに関係した静止画像情報へのリンク方法の説明図。
【図１１】この発明に係るトラック毎に関係したテキスト情報へのリンク方法の説明図。
【図１２】この発明に係るオリジナルトラックに関係した静止画情報へのリンク方法の説明図。
【図１３】この発明に係るオリジナルトラックに関係したテキスト情報へのリンク方法の説明図。
【図１４】この発明に係る記録再生装置（例えばＤＶＤオーディオ記録再生用レコーダ／プレーヤ）のブロック構成の例を示す図。
【図１５】この発明に係る音声関連情報の情報記憶媒体への録音方法の例を示す図。
【図１６】図１５の続きを示す図。
【図１７】この発明に係るオリジナルトラックの部分消去法の例を説明するために示した図。
【図１８】図１７の続きを示す図。
【図１９】この発明に係るプレイリスト作成用画面の表示処理を説明するために示した図。
【図２０】この発明に係るプレイリストの作成方法の例を示す図。
【図２１】図２０の続きを示す図。
【図２２】映像情報を音声情報と同時に表示する静止画情報として利用する方法を説明するために示した図。
【図２３】図２２の続きを示す図。
【図２４】トラック単位で音声情報を再生する再生手順の説明図。
【図２５】図２４の続きを示す図。
【図２６】リアルタイム記録オーディオマネージャ（ＲＴＲ＿ＡＭＧ）の一部（図１のＵＤ＿ＰＧＣＩＴ）のデータ構造を例示する図。
【図２７】図２６のリアルタイム記録オーディオマネージャ（ＲＴＲ＿ＡＭＧ）に含まれるプログラムチェーン情報（ＰＧＣ情報）のデータ構造を例示する図。
【図２８】オリジナルＰＧＣおよびユーザ定義ＰＧＣ内のエントリポイントの例を説明する図。
【図２９】セルエントリポイント情報の内容（タイプＡ１のＣ＿ＥＰＩ）を例示する図（図２７のＣ＿ＥＰＩ＃参照）。
【図３０】リアルタイム記録オーディオマネージャ（ＲＴＲ＿ＡＭＧ）の他部（図３のＡＵＤＦＩＴ）のデータ構造を例示する図。
【図３１】図３０ＡＯＢＵ＿ＥＮＴ＃ｎ（ｎは整数）に対応するオーディオオブジェクトユニットエントリ（ＡＯＢＵ＿ＥＮＴ）の内容を例示する図。
【図３２】オーディオオブジェクトユニットＡＯＢＵの内容（オーディオフレーム）を再生するためのＡＯＢＵアクセスのコンセプトを図解する図。
【図３３】ＡＯＢＵエントリ（ＡＯＢＵ＿ＥＮＴ＃ｎ）のコンセプトを図解する図。
【図３４】リアルタイム記録オーディオマネージャ（ＲＴＲ＿ＡＭＧ）のさらに他部（図４のＡＳＶＦＩＴ）のデータ構造を例示する図。
【図３５】図３４のＡＳＶＯＢ＿ＥＮＴ＃ｎ（ｎは整数）あるいは図４のＡＳＶＯＢ＿ＥＮＴ＃１に対応するオーディオスチルビデオオブジェクトエントリ（ＡＳＶＯＢ＿ＥＮＴ）の内容を例示する図。
【図３６】オーディオスチルビデオオブジェクト（ＡＳＶＯＢ）のデータ構造を例示する図。
【図３７】ＡＳＶＯＢアクセスのコンセプトを図解する図。
【図３８】リアルタイム記録オーディオマネージャ（ＲＴＲ＿ＡＭＧ）のさらに他部（図５のＴＸＴＤＴ＿ＭＧ）のデータ構造を例示する図。
【図３９】プライマリテキスト情報（例えば図２９のＰＲＭ＿ＴＸＴ）の使用例を図解する図。
【図４０】オーディオスチルビデオ（ＡＳＶＯＢ）の再生を説明する図。
【図４１】オリジナルＰＧＣ（図２６のＯＲＧ＿ＰＧＣＩ）の構造を例示する図。
【図４２】ユーザ定義ＰＧＣ（図１あるいは図２６のＵＤ＿ＰＧＣＩＴ）の構造を例示する図。
【図４３】代表音声用のエントリポイントの例を説明する図。
【図４４】セルエントリポイント情報の内容（タイプＤ２のＣ＿ＥＰＩ）を例示する図。
【図４５】セルエントリポイント情報の内容（タイプＢ１のＣ＿ＥＰＩ）を例示する図。
【図４６】セルエントリポイント情報の内容（タイプＢ２のＣ＿ＥＰＩ）を例示する図。
【図４７】セルエントリポイント情報の内容（タイプＣ２のＣ＿ＥＰＩ）を例示する図。
【図４８】ＰＧＣ一般情報（図１（ｇ）または図２７のＰＧＣ＿ＧＩ）の内容を例示する図。
【図４９】プログラム情報（図２７のＰＧＩ＃）の内容を例示する図。
【図５０】代表画像情報（図４９のＲＥＰ＿ＰＩＣＴＩ）の内容を例示する図。
【符号の説明】
１００…情報記憶媒体；１１２…データエリア；１２１…オーディオビデオ関連情報記録領域；１３０…管理情報記録領域；１３１…ムービーオブジェクト記録領域；１３２…スチルピクチャオブジェクト記録領域；１３３…オーディオオブジェクト記録領域；１３４…リアルタイムテキストオブジェクト記録領域；１４４…オリジナルＰＧＣ情報；１４５…ユーザ定義ＰＧＣ情報テーブル；１５０…ユーザ定義ＰＧＣ情報テーブル情報；１５１〜１５２…ユーザ定義ＰＧＣ情報サーチポインタ；１５６〜１５７…ユーザ定義ＰＧＣ情報；１６０…ＰＧＣ一般情報；１６１〜１６２…セル情報サーチポインタ；１６４〜１６９…セル情報；１７１〜１７３…トラックヘッドエントリポイント（セルエントリポイント情報Ｃ＿ＥＰＩ相当）。
【図１】
0003657898.tif 000002
【図２】
0003657898.tif 000003
【図３】
0003657898.tif 000004
【図４】
0003657898.tif 000005
【図５】
0003657898.tif 000006
【図６】
0003657898.tif 000007
【図７】
0003657898.tif 000008
【図８】
0003657898.tif 000009
【図９】
0003657898.tif 000010
【図１０】
0003657898.tif 000011
【図１１】
0003657898.tif 000012
【図１２】
0003657898.tif 000013
【図１３】
0003657898.tif 000014
【図１４】
0003657898.tif 000015
【図１５】
0003657898.tif 000016
【図１６】
0003657898.tif 000017
【図１７】
0003657898.tif 000018
【図１８】
0003657898.tif 000019
【図１９】
0003657898.tif 000020
【図２０】
0003657898.tif 000021
【図２１】
0003657898.tif 000022
【図２２】
0003657898.tif 000023
【図２３】
0003657898.tif 000024
【図２４】
0003657898.tif 000025
【図２５】
0003657898.tif 000026
【図２６】
0003657898.tif 000027
【図２７】
0003657898.tif 000028
【図２８】
0003657898.tif 000029
【図２９】
0003657898.tif 000030
【図３０】
0003657898.tif 000031
【図３１】
0003657898.tif 000032
【図３２】
0003657898.tif 000033
【図３３】
0003657898.tif 000034
【図３４】
0003657898.tif 000035
【図３５】
0003657898.tif 000036
【図３６】
0003657898.tif 000037
【図３７】
0003657898.tif 000038
【図３８】
0003657898.tif 000039
【図３９】
0003657898.tif 000040
【図４０】
0003657898.tif 000041
【図４１】
0003657898.tif 000042
【図４２】
0003657898.tif 000043
【図４３】
0003657898.tif 000044
【図４４】
0003657898.tif 000045
【図４５】
0003657898.tif 000046
【図４６】
0003657898.tif 000047
【図４７】
0003657898.tif 000048
【図４８】
0003657898.tif 000049
【図４９】
0003657898.tif 000050
【図５０】
0003657898.tif 000051